(57)【要約】【課題】ユーザによる使用時間に合わせて、より多くのコンテンツをユーザに提供する。【解決手段】コンテンツ再生端末１３は、携帯型コンテンツ再生装置１４の使用時間を設定時間として設定し、この設定時間に基づき、記憶媒体３１からコンテンツデータの一部分または全部分を転送コンテンツデータとして指定して、このコンテンツデータを携帯型コンテンツ再生装置１４に転送するようにしたことにより、それぞれが使用時間分の再生時間となるコンテンツデータを携帯型コンテンツ再生装置１４に転送することができるので、使用時間を超える無駄な部分を転送することなく携帯型コンテンツ再生装置１４に対してより多くのコンテンツデータを転送することができ、かくしてユーザによる使用時間に合わせて、より多くのコンテンツをユーザに提供することができる。【選択図】図９
2007104577.tif 000002
【特許請求の範囲】
【請求項１】
外部機器と通信するための通信部と、
複数のコンテンツデータを記憶する記憶部と、
予め設定された時間に基づいて、上記記憶部から、上記コンテンツデータの一部分または全部分を、上記外部機器に転送する転送コンテンツデータとして指定する指定部と、
上記指定部により指定された上記転送コンテンツデータを上記外部機器に転送するように上記通信部を制御する制御部と
を具えることを特徴とするコンテンツ転送装置。
【請求項２】
上記指定部は、
上記コンテンツデータの再生時間が上記時間よりも長い場合には、当該再生時間が当該時間以下となるように当該コンテンツデータの一部分を転送コンテンツデータとして指定し、上記コンテンツデータの再生時間が上記時間以下の場合には、当該コンテンツデータの全部分を転送コンテンツデータとして指定する
ことを特徴とする請求項１に記載のコンテンツ転送装置
【請求項３】
上記記憶部は、
上記複数のコンテンツデータを、関連するコンテンツデータ毎に複数のグループに分けて記憶し、
上記指定部は、
上記時間に基づいて、異なる上記グループから上記転送コンテンツデータを指定する
ことを特徴とする請求項１に記載のコンテンツ転送装置。
【請求項４】
上記外部機器の記憶容量を上記通信部を介して検出する容量検出部を具え、
上記指定部は、
上記時間、及び上記容量検出部の検出結果に基づいて、上記記憶部から上記コンテンツデータの一部分または全部分を転送コンテンツデータとして指定する
ことを特徴とする請求項１に記載のコンテンツ転送装置。
【請求項５】
上記指定部により指定された転送コンテンツデータのリストを生成するリスト生成部を具え、
上記制御部は、
上記リスト生成部で生成された上記リストに基づいて、上記転送コンテンツデータを上記外部機器に転送するように上記通信部を制御する
ことを特徴とする請求項１に記載のコンテンツ転送装置。
【請求項６】
上記コンテンツデータの一部分を取り出して、当該コンテンツデータの内容を呈示するためのインデックス情報を生成するインデックス情報生成部を具える
ことを特徴とする請求項１に記載のコンテンツ転送装置。
【請求項７】
上記制御部は、上記外部機器に転送して記憶されている上記転送コンテンツデータのうちの、再生済みの転送コンテンツデータを、上記通信部を介して上記外部機器から削除させる
ことを特徴とする請求項１に記載のコンテンツ転送装置。
【請求項８】
上記制御部は、
上記外部機器に転送して記憶されている上記転送コンテンツデータのうちの、再生途中の転送コンテンツデータの再生済みの部分を、上記通信部を介して上記外部機器から削除させる
ことを特徴とする請求項７に記載のコンテンツ転送装置。
【請求項９】
予め設定された時間に基づいて、記憶部からコンテンツデータの一部分または全部分を、外部機器に転送する転送コンテンツデータとして指定する指定ステップと、
上記指定ステップで指定した上記転送コンテンツデータを、上記外部機器に転送する転送ステップと
を具えることを特徴とするコンテンツ転送方法
【請求項１０】
上記記憶部には、複数のコンテンツデータが、関連するコンテンツデータ毎に複数のグループに分けて記憶され、
上記指定ステップでは、
上記時間に基づいて、異なる上記グループから上記転送コンテンツデータを指定する
ことを特徴とする請求項９に記載のコンテンツ転送方法。
【請求項１１】
情報処理装置に対して、
予め設定された時間に基づいて、記憶部からコンテンツデータの一部分または全部分を、外部機器に転送する転送コンテンツデータとして指定する指定ステップと、
上記指定ステップで指定した上記転送コンテンツデータを、上記外部機器に転送する転送ステップと
を実行させるためのコンテンツ転送プログラム。
【請求項１２】
上記記憶部には、複数のコンテンツデータが、関連するコンテンツデータ毎に複数のグループに分けて記憶され、
上記指定ステップでは、
上記時間に基づいて、異なる上記グループから上記転送コンテンツデータを指定する
ことを特徴とする請求項１１に記載のコンテンツ転送プログラム。
【発明の詳細な説明】
【技術分野】
【０００１】
本発明はコンテンツ転送装置、コンテンツ転送方法及びコンテンツ転送プログラムに関し、例えば、コンテンツデータを記憶保持するコンテンツ記憶装置からコンテンツ再生装置に対してコンテンツデータを転送するコンテンツ転送システムに適用して好適なものである。
【背景技術】
【０００２】
従来、この種のコンテンツ転送システムとしては、例えば音楽データを転送する音楽転送システムがある。実際上、この音楽転送システムでは、コンテンツサーバとしての音楽サーバからコンテンツ再生装置としての携帯型オーディオプレイヤに対して転送させる音楽データがユーザにより選択されると、この選択された音楽データを識別する音楽データ識別情報を示した転送リストを生成する。そしてこの音楽転送システムでは、音楽サーバと携帯型オーディオプレイヤとが接続された際、この生成された転送リスト中の音楽データ識別情報により識別される音楽データが、音楽サーバから携帯型オーディオプレイヤに対して転送されることにより、携帯型オーディオプレイヤに音楽データを取得させるようになされている（例えば、特許文献１参照）。
【０００３】
また、この種のコンテンツ転送システムとしては、携帯型オーディオプレイヤに転送する音楽データをユーザ自身に選択させるばかりでなく、例えば、ユーザの嗜好情報に基づいて自動的に選択することで、一段と容易に音楽データを転送し得るようになされたものもある。
【特許文献１】特開２００１−９３２２６公報
【発明の開示】
【発明が解決しようとする課題】
【０００４】
ところで、実際上、携帯型オーディオプレイヤなどのコンテンツ再生装置は、ユーザにより連続して使用される時間（以下、これを使用時間とも呼ぶ）が、例えば通勤時間や通学時間などに限られていることが多い。つまりこの使用時間がコンテンツ再生装置での連続再生可能時間であるとも言い得る。
【０００５】
このように使用時間が限られている場合、ユーザは、使用時間を超える再生時間を有するコンテンツデータがコンテンツ再生装置に記憶されていても、このコンテンツデータに基づくコンテンツの全てを一度に視聴または聴取することはできない。この結果、コンテンツ再生装置では、使用時間を超える再生時間を有するコンテンツデータがコンテンツサーバから転送されても、この転送されたコンテンツデータのうちの使用時間を超える部分が無駄となる。
【０００６】
そして、コンテンツ再生装置は、このように使用時間を超える無駄となる部分により記憶容量が浪費されて、その分、他のコンテンツデータを記憶する容量が減る。この結果、コンテンツサーバからコンテンツ再生装置に転送することのできるコンテンツデータの数が少なくなり、結果としてユーザに提供し得るコンテンツの数が少なくなるという問題があった。
【０００７】
本発明は以上の点を考慮してなされたもので、ユーザによる使用時間に合わせて、より多くのコンテンツをユーザに提供し得るコンテンツ転送装置、コンテンツ転送方法及びコンテンツ転送プログラムを提案しようとするものである。
【課題を解決するための手段】
【０００８】
かかる課題を解決するため本発明においては、外部機器と通信するための通信部と、複数のコンテンツデータを記憶する記憶部と、予め設定された時間に基づいて、記憶部からコンテンツデータの一部分または全部分を、外部機器に転送する転送コンテンツデータとして指定する指定部と、指定部により指定された転送コンテンツデータを外部機器に転送するように通信部を制御する制御部とを設けるようにした。
【０００９】
これにより、ユーザによる外部機器の使用時間を予め設定しておけば、それぞれが使用時間分となるコンテンツデータを外部機器に転送することができるので、使用時間を超える無駄な部分を転送することなく外部機器に対してより多くのコンテンツデータを転送することができる。
【発明の効果】
【００１０】
本発明によれば、外部機器と通信するための通信部と、複数のコンテンツデータを記憶する記憶部と、予め設定された時間に基づいて、記憶部からコンテンツデータの一部分または全部分を、外部機器に転送する転送コンテンツデータとして指定する指定部と、指定部により指定された転送コンテンツデータを外部機器に転送するように通信部を制御する制御部とを設けるようにしたことにより、ユーザによる外部機器の使用時間を予め設定しておけば、それぞれが使用時間分となるコンテンツデータを外部機器に転送することができるので、使用時間を超える無駄な部分を転送することなく外部機器に対してより多くのコンテンツデータを転送することができ、かくしてユーザによる使用時間に合わせて、より多くのコンテンツをユーザに提供し得るコンテンツ転送装置、コンテンツ転送方法及びコンテンツ転送プログラムを実現できる。
【発明を実施するための最良の形態】
【００１１】
以下図面について、本発明の一実施の形態を詳述する。
【００１２】
（１）第１の実施の形態
（１−１）概要
図１を用いて、本発明の第１の実施の形態の概要を説明する。ちなみにこの概要を説明した後、第１の実施の形態を具体的に説明する。
【００１３】
図１に示すコンテンツ転送装置１は、例えば携帯型コンテンツ再生装置などの外部機器と通信するための通信部２と、複数のコンテンツデータを記憶する記憶部３と、予め設定された時間に基づいて、記憶部３からコンテンツデータの一部分または全部分を外部機器に転送する転送コンテンツデータとして指定する指定部４と、指定部４により指定された転送コンテンツデータを外部機器に転送するように通信部２を制御する制御部５とを有している。
【００１４】
そしてこのコンテンツ転送装置１は、例えばユーザによる外部機器の使用時間が設定されていれば、それぞれがこの使用時間分の再生時間となるコンテンツデータを外部機器に転送することができ、これにより使用時間を超える無駄な部分を転送することなく外部機器に対してより多くのコンテンツデータを転送して記憶させることができるようになされている。
【００１５】
またこのコンテンツ転送装置１は、外部機器の記憶容量及び空き容量を検出する容量検出部６を有しており、予め設定された時間と、この容量検出部６で検出された空き容量とに基づいて、記憶部３から転送コンテンツデータを指定するようにもなされている。
【００１６】
さらにこのコンテンツ転送装置１は、リスト生成部７を有しており、このリスト生成部７で、転送コンテンツデータを示す転送リストを生成し、この転送リストに基づいて、転送コンテンツデータを転送するようにもなされている。
【００１７】
さらにこのコンテンツ転送装置１は、コンテンツデータの内容をユーザに呈示して確認させるためのインデックス情報を生成するインデックス情報生成部８を有しており、このインデックス情報生成部８で生成されるインデックス情報をコンテンツデータに付加して記憶するようにもなされている。
【００１８】
（１−２）コンテンツ転送システムの構成
図２において、１０は全体としてコンテンツ転送システムを示し、コンテンツを提供するコンテンツ提供サーバ１１からネットワーク１２を介して配信される映像及び音声を含んだコンテンツのデータ（以下、これを単にコンテンツデータとも呼ぶ）をコンテンツ再生端末１３で受信して記憶保持し、さらにこのコンテンツ再生端末１３に携帯型コンテンツ再生装置１４が接続されると、コンテンツ再生端末１３が記憶保持しているコンテンツデータを携帯型コンテンツ再生装置１４に転送してこの携帯型コンテンツ再生装置１４に記憶保持させる。そして、この携帯型コンテンツ再生装置１４は、例えば、コンテンツ再生端末１３から外されてユーザによる再生操作が行われると、装置本体に設けられた液晶ディスプレイなどでなる表示部１５及びスピーカなどでなる音声出力部１６を介して、コンテンツデータに基づく映像及び音声を出力するようになされている。
【００１９】
（１−３）コンテンツ提供サーバ、コンテンツ再生端末、及び携帯型コンテンツ再生装置の構成
ここで、コンテンツ提供サーバ１１、コンテンツ再生端末１３、及び携帯型コンテンツ再生装置１４の構成について順に説明する。まず図３を用いて、コンテンツ提供サーバ１１の構成について説明する。コンテンツ提供サーバ１１は、制御部２０が、ハードディスクなどのストレージデバイスでなる記憶媒体２１から読み出したプログラムに従って全体を統括制御するようになされ、またこの記憶媒体２１に複数のコンテンツデータを記憶するようになされている。
【００２０】
すなわちコンテンツ提供サーバ１１の制御部２０は、例えば、ネットワーク１２上のコンテンツ再生端末１３からコンテンツの配信を要求する配信要求信号を、通信部２２を介して受信すると、これに応じて、この要求されたコンテンツに対応するコンテンツデータを記憶媒体２１から読み出し、このコンテンツデータを、通信部２２を介してネットワーク１２上のコンテンツ再生端末１３に送信する。このようにしてコンテンツ提供サーバ１１は、コンテンツ再生端末１３からの要求に応じて、コンテンツをコンテンツ再生端末１３に提供するようになされている。
【００２１】
次に、図４を用いて、コンテンツ再生端末１３の構成について説明する。コンテンツ再生端末１３は、制御部３０が、ハードディスクなどのストレージデバイスでなる記憶媒体３１またはＲＯＭ（Read Only Memory）などでなる読出専用記憶部３２から読み出したプログラムに従って全体を統括制御すると共に各種処理を実行するようになされ、この各種処理で扱うデータ及びプログラムを、ＲＡＭ（Random Access Memory）などでなる一次記憶部３３に必要に応じて記憶させるようになされている。
【００２２】
すなわち制御部３０は、操作部３４を介して、ネットワーク１２上のコンテンツ提供サーバ１１から配信されるコンテンツの取得操作がユーザにより行われたことを認識すると、これに応じて、配信要求信号を、通信部３５を介してネットワーク１２上のコンテンツ提供サーバ１１に送信する。そして制御部３０は、配信要求信号に応じてコンテンツ提供サーバ１１から送信されてくるコンテンツデータを、通信部３５を介して受信し、このコンテンツデータを記憶媒体３１に記憶する。
【００２３】
また制御部３０は、操作部３４を介して、コンテンツの再生操作が行われたことを認識すると、これに応じて、記憶媒体３１からコンテンツデータを読み出し、これを映像音声処理部３６に入力する。映像音声処理部３６は、制御部３０の制御のもと、コンテンツデータに対して所定の映像音声処理を施すことにより、映像信号及び音声信号を得、映像信号に基づく映像を表示部３７に表示すると共に、音声信号に基づく音声を音声出力部３８から出力する（すなわちコンテンツを再生する）。
【００２４】
さらに制御部３０は、外部接続部３９を介して携帯型コンテンツ再生装置１４が接続されると、記憶媒体３１から、携帯型コンテンツ再生装置１４に転送すべきコンテンツデータ（以下、これを転送コンテンツデータとも呼ぶ）を自動的に指定し、この指定した転送コンテンツデータを、外部接続部３９を介して携帯型コンテンツ再生装置１４に転送するようになされている。ちなみに、どのようにしてこの転送コンテンツデータを指定するのかについては後述する。
【００２５】
このようにしてコンテンツ再生端末１３は、コンテンツ提供サーバ１１からコンテンツデータを取得して記憶媒体３１に記憶し、この記憶媒体３１に記憶したコンテンツデータに基づく映像及び音声（すなわちコンテンツ）を再生し、またこの記憶媒体３１に記憶したコンテンツデータを携帯型コンテンツ再生装置１４に転送するようになされている。
【００２６】
次に、図５を用いて、携帯型コンテンツ再生装置１４の構成について説明する。携帯型コンテンツ再生装置１４は、制御部４０が、ハードディスクなどのストレージデバイスでなる記憶媒体４１またはＲＯＭなどでなる読出専用記憶部４２から読み出したプログラムに従って全体を統括制御すると共に各種処理を実行するようになされ、この各種処理で扱うデータ及びプログラムを、ＲＡＭなどでなる一次記憶部４３に必要に応じて記憶させるようになされている。またこの読出専用記憶部４２には、出荷時に、この携帯型コンテンツ再生装置１４を識別可能な装置ＩＤが書き込まれるようになされている。さらにこの携帯型コンテンツ再生装置１４は、外部接続部４５を介して接続されたコンテンツ再生端末１３から転送されてくるコンテンツデータを、記憶媒体４１に記憶するようになされている。
【００２７】
そして制御部４０は、コンテンツ再生端末１３から外され、操作部４４を介して、コンテンツの再生操作が行われたことを認識すると、これに応じて、記憶媒体４１からコンテンツデータを読み出し、これを映像音声処理部４６に入力する。映像音声処理部４６は、制御部４０の制御のもと、コンテンツデータに対して所定の映像音声処理を施すことにより、映像信号及び音声信号を得、映像信号に基づく映像を表示部１５に表示すると共に、音声信号に基づく音声を音声出力部１６から出力する（すなわちコンテンツを再生する）。
【００２８】
このようにして携帯型コンテンツ再生装置１４は、コンテンツ再生端末１３から転送されてくるコンテンツデータを記憶媒体４１に記憶し、この記憶媒体４１に記憶したコンテンツデータに基づく映像及び音声（すなわちコンテンツ）を再生するようになされている。
【００２９】
（１−４）コンテンツデータの転送
次に、コンテンツ再生端末１３から携帯型コンテンツ再生装置１４にコンテンツデータを転送する場合について具体的に説明する。ちなみに、このときコンテンツ再生端末１３の記憶媒体３１には、既にコンテンツ提供サーバ１１から受信した複数のコンテンツデータが記憶保持され、またこのコンテンツデータのそれぞれには、図６に示すように、コンテンツを識別するためのコンテンツＩＤ（例えば「Ｄ００２３００１」）、コンテンツのタイトル（例えば、「春と秋  第１話」）、コンテンツのチャプター（例えば「１／４」、詳しくは後述する）、コンテンツの再生時間（例えば、「１時間」）、コンテンツのジャンル（例えば「ドラマ」）、コンテンツの配給元（例えば「ソリー」）などを示す属性情報が付加されている。
【００３０】
またコンテンツ再生端末１３は、図７に示すように、同シリーズのコンテンツのコンテンツデータをまとめて、シリーズ毎に生成したフォルダ配下に記憶保持するようになされている。この場合、例えば、同タイトルの第１話、第２話、…や、パート１、パート２、…や、第１章、第２章、…などをまとめて１つのシリーズとする。実際上、各コンテンツデータに付加される属性情報のコンテンツＩＤは、例えば「Ｄ００２３００１」のように８桁の番号でなり、その上５桁がシリーズを識別するためのシリーズ識別番号を示し、下３桁が同シリーズでの再生順番を示すためのシリーズ内番号を示す。また属性情報のチャプターは、例えば「１／４」のように、同シリーズのコンテンツの総数に対するコンテンツのシリーズ内番号を示す。このような属性情報を参照して、コンテンツ再生端末１３は、シリーズ識別番号が同じであるコンテンツのコンテンツデータをまとめて、シリーズ識別番号毎に生成したフォルダ配下に記憶保持するようになされている。
【００３１】
この結果、図７に示すように、コンテンツ再生端末１３の記憶媒体３１には、例えば、１時間のコンテンツ４個からなるシリーズＭ１のコンテンツデータＭ１Ｄ１（コンテンツＩＤ「Ｄ００２３００１」）Ｍ１Ｄ２（「Ｄ００２３００２」）、Ｍ１Ｄ３（「Ｄ００２３００３」）及びＭ１Ｄ４（「Ｄ００２３００４」）がフォルダＭ１Ｆの配下に記憶保持され、２時間のコンテンツ１個でなるシリーズＭ２のコンテンツデータＭ２Ｄ（「Ｄ００３５００１」）がフォルダＭ２Ｆの配下に記憶保持され、３０分のコンテンツ３個からなるシリーズＭ３のコンテンツデータＭ３Ｄ１（「Ｄ００５５００１」）、Ｍ３Ｄ２（「Ｄ００５５００２」）及びＭ３Ｄ３（「Ｄ００５５００３」）がフォルダＭ３Ｆの配下に記憶保持され、さらに１時間のコンテンツ２個からなるシリーズＭ４のコンテンツデータＭ４Ｄ１（「Ｄ０１０１００１」）及びＭ４Ｄ２（「Ｄ０１０１００２」）がフォルダＭ４Ｆ配下に記憶保持される。
【００３２】
またコンテンツ再生端末１３は、携帯型コンテンツ再生装置１４の使用時間を設定時間として任意に設定し得るようになされている。さらにこのコンテンツ再生端末１３は、携帯型コンテンツ１４が外部接続部３９を介して接続されたときに、この携帯型コンテンツ再生装置１４の記憶媒体４１の容量及び空き容量を検出し得るようになされ、この空き容量と、自身が記憶保持するコンテンツデータのフォーマットとに基づいて、携帯型コンテンツ再生装置１４の記憶媒体４１に何時間分のコンテンツデータが記憶可能であるかを示す記憶可能時間を認識し得るようになされている。
【００３３】
このようにして設定時間（例えば１時間）及び記憶可能時間（例えば３時間）を認識すると、コンテンツ再生端末１３は、これら設定時間及び記憶可能時間に基づいて、自身の記憶媒体３１から、携帯型コンテンツ再生装置１４に転送する転送コンテンツデータを指定する。
【００３４】
すなわちコンテンツ再生端末１３は、図８に示すように、まず設定時間（１時間）に基づいて、フォルダＭ１Ｆ、Ｍ２Ｆ、Ｍ３Ｆ及びＭ４Ｆのそれぞれから（すなわちシリーズ毎に）、設定時間分のコンテンツデータを指定し、この指定したコンテンツデータのリストＬ１を生成する。この場合、例えば、フォルダＭ１Ｆ及びフォルダＭ４Ｆのように、設定時間分のコンテンツデータが複数存在するフォルダからは、再生順番の若い順にコンテンツデータを優先して指定する。よって、フォルダＭ１Ｆからは１時間のコンテンツデータＭ１Ｄ１が指定され、これがシリーズＭ１から指定された設定時間分のコンテンツデータとして、リストＬ１に記され、またフォルダＭ４Ｆからは１時間のコンテンツデータＭ４Ｄ１が指定され、これがシリーズＭ４から指定された設定時間分のコンテンツデータとして、リストＬ１に記される。
【００３５】
またフォルダＭ２Ｆのように、設定時間を超えるコンテンツデータが存在するフォルダからは、そのコンテンツデータの先頭から設定時間までの部分を指定する。よって、フォルダＭ２Ｆからは、２時間のコンテンツデータＭ２Ｄの前半部分（すなわち先頭から１時間までの部分）が指定され、これがシリーズＭ２から指定された設定時間分のコンテンツデータとして、リストＬ１に記される。さらにフォルダＭ３Ｆのように、設定時間未満のコンテンツデータが複数存在するフォルダからは、設定時間に合わせて、設定時間未満のコンテンツデータを再生順番の若い順に複数指定する。よって、フォルダＭ３Ｆからは、３０分のコンテンツデータＭ３Ｄ１及びＭ３Ｄ２が指定され、これらがシリーズＭ３から指定された設定時間分のコンテンツデータとして、リストＬ１に記される。
【００３６】
かくして、リストＬ１には、シリーズ毎に指定された設定時間分のコンテンツデータが記され、このリストＬ１に記されたシリーズ毎の設定時間分のコンテンツデータが、携帯型コンテンツ再生装置１４への転送対象となる。以下、このリストＬ１を転送対象リストＬ1とも呼ぶ。ちなみに、この場合、シリーズＭ１〜Ｍ４までの４つのシリーズのそれぞれから１時間分のコンテンツデータを指定したので、転送対象リストＬ１には、１時間分のコンテンツデータが４つ、計４時間分のコンテンツデータが記されていることになる。
【００３７】
このようにして転送対象リストＬ１を生成した後、コンテンツ再生端末１３は、続いて、携帯型コンテンツ再生装置１４の記憶可能時間に基づいて、転送対象リストＬ１から、実際に転送する転送コンテンツデータを指定して、この指定した転送コンテンツデータを示す転送リストＬ１Ａを生成する。
【００３８】
すなわちコンテンツ再生端末１３は、このときの記憶可能時間が３時間であることから、転送対象リストＬ１に記されたシリーズＭ１〜Ｍ４までの４つの１時間分のコンテンツデータのうちの、例えばＭ１〜Ｍ３シリーズまでの３つの１時間分のコンテンツデータを、転送コンテンツデータとして指定する。この場合の指定方法としては、例えば転送対象リストＬ１のリスト順に指定する方法や、ランダムに指定する方法、ユーザの嗜好情報（例えば好きなジャンルなど）を登録しておき、この嗜好情報に基づいて指定する方法などを用いる。
【００３９】
このようにしてＭ１〜Ｍ３までの３つの１時間分のコンテンツデータを指定した後、コンテンツ再生端末１３は、この選択したＭ１〜Ｍ３までの３つの１時間分のコンテンツデータを、転送コンテンツデータとして転送リストＬ１Ａに追加する。
【００４０】
このようにコンテンツ再生端末１３は、設定時間と記憶可能時間とに基づき、記憶媒体３１から、携帯型コンテンツ再生装置１４に転送すべき転送コンテンツデータを自動的に指定し、この転送コンテンツデータを示す転送リストＬ１Ａを生成して、これを例えば一次記憶部３３に記憶する。そしてコンテンツ再生端末１３は、この転送リストＬ１Ａに従って、記憶媒体３１からコンテンツデータを読み出し、これを携帯型コンテンツ再生装置１４に転送する。すなわちこの場合、コンテンツ再生端末１３は、転送リストＬ１Ａに記された、コンテンツデータＭ１Ｄ１、コンテンツデータＭ２Ｄの前半部分、コンテンツデータＭ３Ｄ１及びＭ３Ｄ２を転送する。
【００４１】
一方、携帯型コンテンツ再生装置１４は、図９に示すように、コンテンツ再生端末１３から転送されてくるコンテンツデータＭ１Ｄ１をコンテンツデータｍ１として、コンテンツデータＭ２Ｄの前半部分をコンテンツデータｍ２として、コンテンツデータＭ３Ｄ１及びＭ３Ｄ２をコンテンツデータｍ３１及びｍ３２として記憶媒体４１に記憶保持すると共に、これらコンテンツデータｍ１、ｍ２、ｍ３１及びｍ３２を管理するための管理情報ＣＩを生成して、これを記憶媒体４１に記憶保持する。
【００４２】
この管理情報ＣＩは、記憶保持したコンテンツデータｍ１、ｍ２、ｍ３１及びｍ３２を、シリーズ毎のコンテンツとして管理するリスト情報であり、この場合、１時間のコンテンツデータｍ１がシリーズＭ１の１時間のコンテンツとして、１時間のコンテンツデータｍ２がシリーズＭ２の１時間のコンテンツとして、３０分のコンテンツデータｍ３１とｍ３２とがシリーズＭ３の１時間のコンテンツとして記憶保持されることになる。
【００４３】
実際上、この管理情報ＣＩは、図１０及び図１１に示すように、シリーズ名（例えば「Ｍ１」）、このシリーズのコンテンツのファイル名（すなわちコンテンツデータ名であり、例えば「ｍ１」）、このコンテンツの再生を停止した時点に付されるタイムマークの位置を時分秒で示すタイムマーク位置（例えば「００：５５：００」）、このコンテンツが見終わったか否かを示す見終わり確認（例えば見終わっていないことを示す「ＯＦＦ」、見終わったことを示す「ＯＮ」）、同シリーズのコンテンツの総数に対する記憶保持しているコンテンツのシリーズ内番号（例えば「１／４」）、このコンテンツをどの程度まで再生したのかを時分秒で示す再生程度（例えば「００：５５：００／０１：００：００」）、このコンテンツを最後に再生したのはいつかを日時で示すラスト再生（例えば「８月１０日８時」）、このコンテンツの優先度（例えば優先度の低い順に「１」〜「５」）からなる。ちなみに、ここでの見終わり確認は、コンテンツが最後まで見終わっていなくてもユーザ操作により見終わったと指定されれば、「ＯＮ」になる。また優先度は、例えば、コンテンツの転送などの優先順位を決めるときに用いる情報である。
【００４４】
ここで、図１０の管理情報ＣＩは、コンテンツ再生端末１３から携帯型コンテンツ再生装置１４に対して転送されてきたコンテンツデータを、携帯型コンテンツ再生装置１４がコンテンツデータｍ１、ｍ２、ｍ３１及びｍ３２として記憶した直後の状態を示す。つまりこの場合、各シリーズのコンテンツともに、再生されていないので、タイムマーク位置は「００：００：００」、再生程度は「００：００：００／０１：００：００」、ラスト再生は「再生なし」、優先度は「０」となる。
【００４５】
これに対して図１１の管理情報ＣＩは、その後、携帯型コンテンツ再生装置１４がコンテンツ再生端末１３から外されて、携帯型コンテンツ再生装置１４がコンテンツデータｍ１、ｍ２、ｍ３１及びｍ３２のうちのコンテンツデータｍ１、ｍ３１及びｍ３２を再生すると共にこれらに基づくコンテンツが見終わったとユーザに指定された後の状態、すなわちシリーズＭ１のコンテンツとシリーズＭ３のコンテンツとを再生して見終わったと指定された後の状態を示す。つまりこの場合、シリーズＭ１のコンテンツに対するタイムマーク位置は例えば「００：５５：００」、見終わり確認は「ＯＮ」、再生程度は例えば「００：５５：００／０１：００：００」ラスト再生は例えば「８月１０日８時」、優先度は「５」に更新され、またシリーズＭ３のコンテンツに対するタイムマーク位置は例えば「００：５８：００」、見終わり確認は「ＯＮ」、再生程度は例えば「００：５８：００／０１：００：００」、ラスト再生は例えば「８月１０日９時」、優先度は「５」に更新される。
【００４６】
このような管理情報ＣＩにより、携帯型コンテンツ再生装置１４は、各シリーズのコンテンツに対して、どの時点で停止されたか、見終わったか、シリーズ内番号は何番か、どの程度まで再生されたか、最後に再生されたのはいつかなどを認識するようになされている。
【００４７】
また、この管理情報ＣＩは、携帯型コンテンツ再生装置１４が再びコンテンツ再生端末１３に接続されると、携帯型コンテンツ再生装置１４からコンテンツ再生端末１３に転送される。そして、コンテンツ再生端末１３は、上述した設定時間及び記憶可能時間と、この管理情報ＣＩとに基づいて、この携帯型コンテンツ再生装置１４から削除すべきコンテンツ、及びこの携帯型コンテンツ再生装置１４に転送すべき転送コンテンツを指定して、コンテンツの削除及び転送（詳しくは後述する）を行うようになされている。
【００４８】
さらにコンテンツ再生端末１３は、図１２に示すように、コンテンツ提供サーバ１１からコンテンツデータＭＤを受信した際、このコンテンツデータＭＤから、このコンテンツデータＭＤに基づくコンテンツの内容をユーザに確認させるためのインデックス情報ＩＤを生成して、このインデックス情報ＩＤをコンテンツデータＭＤの先頭（例えばヘッダ部分）に付加するようにもなされている。
【００４９】
実際上、コンテンツ再生端末１３は、例えば、受信したコンテンツデータＭＤを４分割して、その分割した部分のそれぞれの先頭から数秒程度のコンテンツデータを読み出す。次に、コンテンツ再生端末１３は、この読み出した４つの数秒程度のコンテンツデータを繋げると共に、この繋げたコンテンツデータに対し、コンテンツデータＭＤの属性情報から得られるコンテンツのタイトル及びジャンルなどの付加情報を付加することによりインデックス情報ＩＤを生成する。そしてコンテンツ再生端末１３は、このインデックス情報ＩＤをコンテンツデータＭＤの先頭に付加することによりコンテンツデータＭＤｘを生成して、これを記憶媒体３１に記憶保持する。
【００５０】
すなわちコンテンツ再生端末１３の記憶媒体３１に記憶保持される、上述したコンテンツデータＭ１Ｄ１、Ｍ１Ｄ２、Ｍ１Ｄ３、Ｍ１Ｄ４、Ｍ２Ｄ、Ｍ３Ｄ１、Ｍ３Ｄ２、Ｍ３Ｄ３、Ｍ４Ｄ１、Ｍ４Ｄ２のそれぞれには、その先頭部分にインデックス情報ＩＤが付加されている。また、当然のことながら、これらを転送した結果、携帯型コンテンツ再生装置１４の記憶媒体４１に記憶保持されるコンテンツデータｍ１、ｍ２、ｍ３１及びｍ３２のそれぞれにも、その先頭部分にインデックス情報ＩＤが付加されている。
【００５１】
この結果、例えば図１３に示すように、携帯型コンテンツ再生装置１４は、コンテンツデータｍ１、ｍ２、ｍ３１及びｍ３２のそれぞれのインデックス情報ＩＤを読み出して、このインデックス情報ＩＤに基づく一部の映像をサムネイル化して一覧表示すると共に、このインデックス情報ＩＤに含まれるコンテンツのタイトルをリスト化して一覧表示する一覧表示画面ＩＳを表示部１５に表示する。ちなみに、図１３の一覧表示画面ＩＳは、コンテンツデータｍ１、ｍ２、ｍ３１及びｍ３２にくわえて複数のコンテンツデータが携帯型コンテンツ再生装置１４に記憶保持されているときの表示例である。
【００５２】
これにより、携帯型コンテンツ再生装置１４は、コンテンツ再生端末１３から自動的に転送されて記憶保持しているコンテンツのそれぞれをわざわざ再生しなくとも、コンテンツの内容をユーザに確認させることができる。またこのとき携帯型コンテンツ再生装置１４は、コンテンツのタイトルだけでなく、コンテンツの映像の一部を表示部１５に表示するようにしたことにより、コンテンツの内容をより直感的にユーザに確認させることができる。
【００５３】
そして携帯型コンテンツ再生装置１４は、この一覧表示画面ＩＳ上のサムネイルまたはリストから、ユーザにより一コンテンツが選択されると、このコンテンツのコンテンツデータを読み出して、図１４に示すように、このコンテンツデータに基づく映像を一覧表示画面ＩＳに代えて表示部１５に表示すると共に、このコンテンツデータに基づく音声を音声出力部１６から出力する（すなわちコンテンツを再生する）。
【００５４】
このようにしてコンテンツの再生を開始した後、ユーザにより停止操作がなされると、携帯型コンテンツ再生装置１４は、再生していたコンテンツの停止時点にタイムマークを付すと共に、その再生程度に応じて、図１５に示すように、再生していたコンテンツが見終わったか否かを確認するためのメッセージと、このメッセージに対する選択肢（例えば、見終わったことを示す「はい」と、見終わっていないことを示す「いいえ」）とを表示部１５に表示する。
【００５５】
そして携帯型コンテンツ再生装置１４は、ユーザ操作により、選択肢「はい」が選択されると、このコンテンツに対する管理情報ＣＩのタイムマーク位置を更新すると共に、見終わり確認を「ＯＮ」にし、さらに停止時点までの再生した時間で再生程度を更新すると共に、このときの日時でラスト再生を更新して、優先度を例えば「０」から「５」に上げるようになされている。これに対して、選択肢「いいえ」が選択されると、携帯型コンテンツ再生装置１４は、このコンテンツに対する管理情報ＣＩのタイムマーク位置を更新すると共に、停止時点までの再生した時間で再生程度を更新して、このときの日時でラスト再生を更新するようになされている。このようにして携帯型コンテンツ再生装置１４は、コンテンツの再生に応じて管理情報ＣＩを随時更新するようになされている。
【００５６】
（１−５）処理手順
次に、上述した、コンテンツ再生端末１３から携帯型コンテンツ再生装置１４へのコンテンツ転送処理、及び携帯型コンテンツ再生装置１４でのコンテンツ再生処理の手順について説明する。ここでは、説明の便宜上、まず図１６のフローチャートを用いて、携帯型コンテンツ再生装置１４でのコンテンツ再生処理を説明する。ちなみにこの場合、携帯型コンテンツ再生装置１４は、コンテンツ再生端末１３から外された状態であり、また記憶媒体４１には、後述するコンテンツ転送処理により、コンテンツ再生端末１３から転送されたコンテンツデータが記憶されているものとする。
【００５７】
携帯型コンテンツ再生装置１４の制御部４０は、操作部４４を介して、コンテンツの再生操作が行われたことを認識すると、コンテンツ再生処理手順ＲＴ１を開始して、ステップＳＰ１に移る。ステップＳＰ１において制御部４０は、記憶媒体４１から管理情報ＣＩを読み出して、次のステップＳＰ２に移る。ステップＳＰ２において制御部４０は、再生操作により指定されたコンテンツのコンテンツデータを読み出して、このコンテンツデータに基づく映像及び音声を出力することにより、コンテンツの再生を開始し、次のステップＳＰ３に移る。
【００５８】
ステップＳＰ３において制御部４０は、ユーザによる停止操作を待ち受け、停止操作が行われたことを認識すると、コンテンツの再生を停止してステップＳＰ４に移る。ステップＳＰ４において制御部４０は、再生していたコンテンツの停止時点にタイムマークを付して次のステップＳＰ５に移る。ステップＳＰ５において制御部４０は、この停止時点までの再生した時間が、コンテンツの再生時間の例えば９０％以上であるか否かを判定する。
【００５９】
このステップＳＰ５で否定結果を得ると、このことは、このコンテンツがまだ９０％未満しか再生されていないことを表しており、このとき制御部４０は、ステップＳＰ６に移り、再生していたコンテンツの停止時点に応じて、管理情報ＣＩのなかの、再生していたコンテンツの再生程度及びラスト再生を更新すると共に、上述のステップＳＰ４で付したタイムマークの位置に応じて、管理情報ＣＩのなかの、再生していたコンテンツのタイムマーク位置を更新して、終了ステップＳＰ９に移り、このコンテンツ再生処理手順ＲＴ１を終了する。
【００６０】
これに対してステップＳＰ５で肯定結果を得ると、このことは、このコンテンツが９０％以上再生されたことを表しており、このとき制御部４０は、ステップＳＰ７に移り、図１５に示したように、再生していたコンテンツが見終わったか否かを確認するためのメッセージと、このメッセージに対する選択肢（「はい」及び「いいえ」）とを表示部１５に表示して、ユーザ操作により選択肢「はい」が選択されたか否かを判定する。
【００６１】
このステップＳＰ７で否定結果を得ると、このことは、再生していたコンテンツがまだ見終わっていないとユーザに指定されたことを表しており、このとき制御部４０は、ステップＳＰ６に移り、管理情報ＣＩを更新して、終了ステップＳＰ９に移り、このコンテンツ再生処理手順ＲＴ１を終了する。
【００６２】
これに対してこのステップＳＰ７で肯定結果を得ると、このことは、再生していたコンテンツが見終わったとユーザに指定されたことを表しており、このとき制御部４０は、ステップＳＰ８に移り、再生していたコンテンツの停止時点に応じて、管理情報ＣＩのなかの、再生していたコンテンツの再生程度及びラスト再生を更新すると共に、上述のステップＳＰ４で付したタイムマークの位置に応じて、管理情報ＣＩのなかの、再生していたコンテンツのタイムマーク位置を更新し、さらに管理情報ＣＩのなかの、再生していたコンテンツの見終わり確認を「ＯＮ」にすると共に、優先度を例えば「０」から「５」に上げて、終了ステップＳＰ９に移り、このコンテンツ再生処理手順ＲＴ１を終了する。
【００６３】
このようなコンテンツ再生処理手順ＲＴ１にしたがい、制御部４０は、コンテンツを再生すると共に、再生していたコンテンツの停止時点に応じて、管理情報ＣＩを更新するようになされている。
【００６４】
次に図１７のシーケンスチャートと、図１８、図１９及び図２０のフローチャートとを用いて、コンテンツ再生端末１３から携帯型コンテンツ再生装置１４へのコンテンツ転送処理の手順について説明する。図１７に示すように、コンテンツ再生端末１３の制御部３０は、まずステップＳＰ１０において、携帯型コンテンツ再生装置１４の使用時間を、操作部３４を介してユーザに入力させ、これを設定時間として設定した後、次のステップＳＰ１１に移る。この場合、この設定時間は、例えば、携帯型コンテンツ再生装置１４の装置ＩＤ毎に設定するようになされている。
【００６５】
ステップＳＰ１１において制御部３０は、外部接続部３９を介して携帯型コンテンツ再生装置１４が接続されるのを待ち受け、接続されたことを認識すると、次のステップＳＰ１２に移る。ステップＳＰ１２において制御部３０は、外部接続部３９を介して接続されている携帯型コンテンツ再生装置１４に対して、装置ＩＤの送信を要求する装置ＩＤ要求信号を送信する。
【００６６】
携帯型コンテンツ再生装置１４の制御部４０は、外部接続部４５を介して接続されているコンテンツ再生端末１３から送信されてくる装置ＩＤ要求信号を受信すると、ステップＳＰ１３において、この装置ＩＤ要求信号に応じて読出専用記憶部４２から装置ＩＤを読み出して、これをコンテンツ再生端末１３に送信する。
【００６７】
コンテンツ再生端末１３の制御部３０は、携帯型コンテンツ再生装置１４から送信されてくる装置ＩＤを受信すると、この装置ＩＤを例えば一次記憶部３３に記憶した後、ステップＳＰ１４において、携帯型コンテンツ再生装置１４に対して、管理情報ＣＩの転送を要求する管理情報要求信号を送信する。
【００６８】
携帯型コンテンツ再生装置１４の制御部４０は、コンテンツ再生端末１３から送信されてくる管理情報要求信号を受信すると、ステップＳＰ１５において、この管理情報要求信号に応じて記憶媒体４１から管理情報ＣＩを読み出して、これをコンテンツ再生端末１３に転送する。
【００６９】
コンテンツ再生端末１３の制御部３０は、携帯型コンテンツ再生装置１４から送信されてくる管理情報ＣＩを受信すると、この管理情報ＣＩを例えば一次記憶部３３に記憶した後、ステップＳＰ１６において、携帯型コンテンツ再生装置１４が有する記憶媒体４１の記憶可能時間を検出する記憶可能時間検出処理を実行する。
【００７０】
ここで、このステップＳＰ１６で実行される記憶可能時間検出処理の手順について、図１８のフローチャートを用いて説明する。コンテンツ再生端末１３の制御部３０は、記憶可能時間検出処理手順ＲＴ２を開始するとステップＳＰ３０において、一次記憶部３３から管理情報ＣＩを読み出して次のステップＳＰ３１に移る。ステップＳＰ３１において制御部３０は、まず管理情報ＣＩの１行目を参照し、この１行目のラスト再生の日時と現在の日時とを比較して、例えば、ラスト再生の日時から２４時間以上経過したか否かを判定する。
【００７１】
このステップＳＰ３１で肯定結果を得ると、このことは、この１行目に記されたコンテンツが最後に再生されてから１日以上経過していることを表し、このとき制御部３０は、この１行目に記されたコンテンツをユーザがもう見ないと判断して、ステップＳＰ３２に移り、外部接続部３９を介して接続されている携帯型コンテンツ再生装置１４の記憶媒体４１から、管理情報ＣＩの１行目のファイル名に該当するコンテンツデータを削除して記憶媒体４１の空き容量を増加させ、次のステップ３６に移る。ちなみに、ラスト再生の日時が「再生なし」であった場合も、このステップＳＰ３１で肯定結果を得るようにし、該当するコンテンツデータを削除する。
【００７２】
これに対してこのステップＳＰ３１で否定結果を得ると、このことは、１行目に記されたコンテンツが最後に再生されてからまだ１日以上経過していないことを表し、このとき制御部３０は、この１行目に記されたコンテンツをユーザがまだ見る可能性があると判断して、次のステップＳＰ３３に移る。ステップＳＰ３３において制御部３０は、１行目の見終わり確認が「ＯＮ」であるか否かを判定する。
【００７３】
このステップＳＰ３３で肯定結果を得ると、このことは、この１行目に記されたコンテンツがユーザにより見終わったと指定されていることを表し、このとき制御部３０は、ステップＳＰ３２に移り、外部接続部３９を介して接続されている携帯型コンテンツ再生装置１４の記憶媒体４１から、管理情報ＣＩの１行目のファイル名に該当するコンテンツデータを削除して記憶媒体４１の空き容量を増加させ、次のステップ３６に移る。
【００７４】
これに対してこのステップＳＰ３３で否定結果を得ると、このことは、この１行目に記されたコンテンツがまだ見終わっていないことを表し、このとき制御部３０は、ステップＳＰ３４に移る。ステップＳＰ３４において制御部３０は、１行目のタイムマーク位置を確認して次のステップＳＰ３５に移る。ステップＳＰ３５において制御部３０は、このタイムマーク位置に基づき、携帯型コンテンツ再生装置１４の記憶媒体４１に記憶されている、管理情報ＣＩの１行目のファイル名に該当するコンテンツデータから、タイムマーク位置以前の部分（すなわち再生し終えた部分）を削除して記憶媒体４１の空き容量を増加させ、次のステップＳＰ３６に移る。
【００７５】
ステップＳＰ３６において制御部３０は、管理情報ＣＩの全ての行に対して、上述のステップＳＰ３１〜ステップＳＰ３５までの処理が終えたか否かを判定する。ここで管理情報ＣＩが、例えば図１１に示すように、シリーズＭ１〜Ｍ３の３行であるとすれば、制御部３０は、１行目に対する処理が終了した後、このステップＳＰ３６で否定結果を得て、再びステップＳＰ３１に戻り、続いて２行目に対する処理を開始する。そして２行目、３行目と処理を継続していき、３行目（すなわち最終行）に対する処理が終了した後、このステップＳＰ３６で肯定結果を得て、ステップＳＰ３７に移る。
【００７６】
ステップＳＰ３７において制御部３０は、携帯型コンテンツ再生装置１４が有する記憶媒体４１の空き容量を検出し、この検出した空き容量と、自身が記憶保持するコンテンツデータのフォーマットとに基づいて、携帯型コンテンツ再生装置１４の記憶可能時間を検出して、終了ステップＳＰ３８に移り、この記憶可能時間検出処理手順ＲＴ２を終了する。
【００７７】
このような記憶可能時間検出処理手順ＲＴ２にしたがい、制御部３０は、携帯型コンテンツ再生装置１４が有する記憶媒体４１に記憶されているコンテンツデータのうちの、不要なコンテンツデータ、及びコンテンツデータの再生し終えた部分を削除して記憶媒体４１の空き容量を増加させてから、このときの空き容量に基づく記憶可能時間を検出するようになされている。
【００７８】
このようにステップＳＰ１６（図１７）で、記憶可能時間検出処理を実行した後、制御部３０は、次のステップＳＰ１７に移る。ステップＳＰ１７において制御部４０は、携帯型コンテンツ再生装置１４に転送すべき転送コンテンツデータを示す転送リストＬ１Ａを生成する転送リスト生成処理を実行する。
【００７９】
ここで、このステップＳＰ１７で実行される転送リスト生成処理の手順について、図１９のフローチャートを用いて説明する。コンテンツ再生端末１３の制御部３０は、転送リスト生成処理手順ＲＴ３を開始するとステップＳＰ４０において、上述のステップＳＰ１０で設定した設定時間と、上述のステップＳＰ１６で検出した記憶可能時間とを確認した後、次のステップＳＰ４１に移る。ステップＳＰ４１において制御部３０は、図８に示したように、設定時間に基づいて、記憶媒体４１の各フォルダＭ１Ｆ、Ｍ２Ｆ、Ｍ３Ｆ及びＭ４Ｆから、設定時間分のコンテンツデータを指定して転送対象リストＬ１を生成する。
【００８０】
実際上、このステップＳＰ４１で、各フォルダＭ１Ｆ、Ｍ２Ｆ、Ｍ３Ｆ及びＭ４Ｆから、設定時間分のコンテンツデータを指定するとき、制御部３０は、携帯型コンテンツ再生装置１４から取得した管理情報ＣＩの見終わり確認及び保持シリーズ内番号に基づき、携帯型コンテンツ再生装置１４の記憶媒体４１に記憶保持されて見終わっているコンテンツデータ（このデータ自体は上述の記憶可能時間検出処理時に削除されている）のシリーズ内番号を認識して、このシリーズ内番号に続くシリーズ内番号のコンテンツデータを指定するようになされている。すなわち、制御部３０は、例えば、図１１に示すように、シリーズＭ１のシリーズ内番号「１」のコンテンツデータが携帯型コンテンツ再生装置１４の記憶媒体４１に記憶保持されて見終わっているのであれば、このシリーズＭ１に対応するフォルダＭ１Ｆから指定するコンテンツデータはシリーズ内番号「２」のコンテンツデータであると判断して、このフォルダＭ１Ｆから、シリーズ内番号「２」のコンテンツデータＭ１Ｄ２を指定するようになされている。また、制御部３０は、シリーズＭ２のシリーズ内番号「０．５」のコンテンツデータはまだ見終わっていないので、このシリーズＭ２に対応するフォルダＭ２Ｆからはコンテンツデータを指定しないようになされている。
【００８１】
このようにして、設定時間分のコンテンツデータを指定して転送対象リストＬ１を生成した後、制御部３０は、次のステップＳＰ４２に移る。ステップＳＰ４２において制御部３０は、記憶可能時間に基づき、転送対象リストＬ１の１行目に記された設定時間分のコンテンツデータを携帯型コンテンツ再生装置１４に記憶可能であるか否かを判定する。ここで記憶可能時間が３時間、設定時間が１時間であるとすれば、この１行目に記された設定時間分のコンテンツデータを携帯型コンテンツ再生装置１４に記憶させることができることから、制御部３０は、このステップＳＰ４２で肯定結果を得て、次のステップＳＰ４３に移る。
【００８２】
ステップＳＰ４３において制御部３０は、転送対象リストＬ１の１行目に記された設定時間分（１時間分）のコンテンツデータを転送リストＬ１Ａに追加して、この転送リストＬ１Ａを更新すると共に、記憶可能時間の残り時間（このとき３時間−１時間）を認識して、ステップＳＰ４２に戻る。
【００８３】
そして制御部３０は、記憶可能時間の残り時間が設定時間（１時間）未満になるまで、ステップＳＰ４２〜ステップＳＰ４３までの処理を繰り返すことにより、転送対象リストＬ１の２行目、３行目、…に記された設定時間分（１時間分）のコンテンツデータを１つずつ転送リストＬ１Ａに追加していき、残り時間が設定時間（１時間）未満になると、これ以上、設定時間分（１時間分）のコンテンツデータを携帯型コンテンツ再生装置１４に記憶させることができないことから、ステップＳＰ４２で否定結果を得て、終了ステップＳＰ４４に移り、この転送リスト生成処理手順ＲＴ３を終了する。
【００８４】
すなわち記憶可能時間が３時間である場合、転送対象リストＬ１の１行目、２行目、３行目に記された３つの設定時間分（１時間分）のコンテンツデータを転送リストＬ１Ａに追加した段階で、記憶可能時間の残り時間が設定時間（１時間）未満となるので、転送リストＬ１Ａには、設定時間分（１時間分）のコンテンツデータが３つ、計３時間分のコンテンツデータが記されることになる。
【００８５】
このような転送リスト生成処理手順ＲＴ３にしたがい、制御部３０は、設定時間と記憶可能時間とに基づき、携帯型コンテンツ再生装置１４に転送すべき転送コンテンツデータを示す転送リストＬ１Ａを生成するようになされている。
【００８６】
このようにステップＳＰ１７（図１７）で、転送リスト生成処理を実行した後、制御部３０は、次のステップＳＰ１８に移る。ステップＳＰ１８において制御部３０は、転送リストＬ１Ａに基づいて携帯型コンテンツ再生装置１４にコンテンツデータを転送するデータ転送処理を実行する。
【００８７】
ここで、このステップＳＰ１８で実行されるデータ転送処理の手順について、図２０のフローチャートを用いて説明する。コンテンツ再生端末１３の制御部３０は、データ転送処理手順ＲＴ４を開始するとステップＳＰ５０において、一次記憶部３３から転送リストＬ１Ａを読み出して、次のステップＳＰ５１に移る。
【００８８】
ステップＳＰ５１において制御部３０は、まず転送リストＬ１Ａの１行目に記された転送コンテンツデータに対応するコンテンツデータを記憶媒体３１から検索して、次のステップＳＰ５２に移る。ステップＳＰ５２において制御部３０は、検索結果として得られたコンテンツデータを、転送リストＬ１Ａに指定された部分だけ、携帯型コンテンツ再生装置１４に転送して、次のステップＳＰ５３に移る。ステップＳＰ５３において制御部３０は、転送リストＬ１Ａに記された全ての転送コンテンツデータを転送し終えたか否かを判定する。
【００８９】
ここで転送リストＬ１Ａが、例えば図８に示すように、シリーズＭ１〜Ｍ３の３行であるとすれば、制御部３０は、１行目に記された転送コンテンツデータの転送が終了した後、このステップＳＰ５３で否定結果を得て、再びステップＳＰ５１に戻り、続いて２行目に記された転送コンテンツデータの転送を行う。そして２行目、３行目と転送コンテンツデータの転送を継続して行い、３行目（すなわち最終行）に記された転送コンテンツデータの転送が終了した後、このステップＳＰ５３で肯定結果を得て、終了ステップＳＰ５４に移り、このデータ転送処理手順ＲＴ４を終了する。
【００９０】
このようなデータ転送処理手順ＲＴ４にしたがい、制御部３０は、転送リストＬ１Ａに基づき、携帯型コンテンツ再生装置１４にコンテンツデータを転送するようになされている。
【００９１】
一方、携帯型コンテンツ再生装置１４の制御部４０は、コンテンツ再生端末１３から転送されてくるコンテンツデータを受信すると、ステップＳＰ１９（図１７）において、このコンテンツデータを記憶媒体４１に記憶すると共に、この記憶したコンテンツデータに基づいて管理情報ＣＩを更新する。
【００９２】
このようなコンテンツ転送処理の手順にしたがい、コンテンツ再生端末１３の制御部３０及び携帯型コンテンツ再生装置１４の制御部４０は、コンテンツ再生端末１３から携帯型コンテンツ再生装置１４へコンテンツを転送するようになされている。
【００９３】
（１−６）第１の実施の形態による動作及び効果
以上の構成においてコンテンツ再生端末１３は、コンテンツ提供サーバ１１から取得したコンテンツデータを、シリーズ毎にまとめて記憶媒体３１に記憶保持する。またコンテンツ再生端末１３は、携帯型コンテンツ再生装置１４がユーザにより連続して使用される使用時間を設定時間として設定する。さらにコンテンツ再生端末１３は、携帯型コンテンツ再生装置１４が接続されると、この携帯型コンテンツ再生装置１４が有する記憶媒体４１の空き容量を検出し、この空き容量と自身が記憶保持するコンテンツデータのフォーマットとに基づいて、携帯型コンテンツ再生装置１４に何時間分のコンテンツデータが記憶可能であるかを示す記憶可能時間を検出する。
【００９４】
このようにして設定時間と記憶可能時間とを認識すると、まずコンテンツ再生端末１３は、記憶媒体３１から、設定時間分のコンテンツデータをシリーズ毎に指定する。ここで、記憶媒体３１に記憶しているコンテンツデータが設定時間を超えるものであれば、このコンテンツデータの一部分（すなわち設定時間分）を指定し、また設定時間未満のものであれば、シリーズ内のコンテンツデータを複数（すなわち設定時間分）指定する。
【００９５】
さらにコンテンツ再生端末１３は、シリーズ毎に指定した設定時間分のコンテンツデータのなかから、携帯型コンテンツ再生装置１４の記憶可能時間の分だけ、転送コンテンツデータを指定して、この転送コンテンツデータを示す転送リストＬ１Ａを生成する。そしてコンテンツ再生装置１４は、この転送リストＬ１Ａに基づいて、記憶媒体３１から転送コンテンツデータを読み出し、これを携帯型コンテンツ再生装置１４に転送する。
【００９６】
この結果、コンテンツ再生端末１３は、携帯型コンテンツ再生装置１４に対して、それぞれが携帯型コンテンツ再生装置１４の使用時間分の再生時間となるコンテンツデータを転送することができるので、使用時間を超える無駄な部分を転送することなく、携帯型コンテンツ再生装置１４に対してより多くのコンテンツデータを記憶させることができる。
【００９７】
またコンテンツ再生端末１３は、携帯型コンテンツ再生装置１４の記憶可能時間に応じて、転送コンテンツデータを転送するようにしたことにより、携帯型コンテンツ再生装置１４が有する記憶媒体４１に記憶可能な分だけ転送コンテンツデータを転送することができるので、記憶できない分の転送コンテンツデータを転送することなく、確実に転送コンテンツデータを携帯型コンテンツ再生装置１４が有する記憶媒体４１に記憶させることができる。
【００９８】
さらにコンテンツ再生端末１３は、設定時間分の転送コンテンツデータをシリーズ毎に指定して転送するようにしたことにより、携帯型コンテンツ再生装置１４に対して異なるシリーズのコンテンツデータを記憶させることができるので、ユーザに対するコンテンツの選択肢を広げることができる。つまり、例えば、コンテンツデータを３つ転送するとして、この３つのコンテンツデータが同シリーズの第１話、第２話、第３話のコンテンツである場合、ユーザが選択するコンテンツは通常、これらのうちの第１話のコンテンツに限定されるので、選択肢は１つとなる。これに対して、この３つのコンテンツデータがシリーズＭ１の第１話、シリーズＭ２の第１話、シリーズＭ３の第１話のコンテンツであれば、ユーザの選択肢は３つとなり、同シリーズのコンテンツデータを転送する場合と比して、選択肢を広げることができる。
【００９９】
さらにコンテンツ再生端末１３は、携帯型コンテンツ再生装置１４が接続されると、自動的に、携帯型コンテンツ再生装置１４の記憶媒体４１から、不要と判断したコンテンツデータ、またはその一部を削除して記憶媒体４１の空き容量を増加させてから、新たなコンテンツデータを転送するようにしたことにより、携帯型コンテンツ再生装置１４を接続するだけで、ユーザに対して何ら煩わしい操作をさせることなく、新たなコンテンツデータの転送を行うことができる。
【０１００】
以上の構成によれば、コンテンツ再生端末１３の制御部３０は、ユーザによる携帯型コンテンツ再生装置１４の使用時間を設定時間として設定し、この設定時間に基づき、記憶媒体３１からコンテンツデータの一部分または全部分を転送コンテンツデータとして指定して、このコンテンツデータを、外部接続部３９を介して携帯型コンテンツ再生装置１４に転送するようにしたことにより、それぞれが使用時間分の再生時間となるコンテンツデータを携帯型コンテンツ再生装置１４に転送することができるので、使用時間を超える無駄な部分を転送することなく携帯型コンテンツ再生装置１４に対してより多くのコンテンツデータを転送することができ、かくしてユーザによる使用時間に合わせて、より多くのコンテンツをユーザに提供し得るコンテンツ転送装置、コンテンツ転送方法及びコンテンツ転送プログラムを実現できる。
【０１０１】
（２）第２の実施の形態
次に、本発明の第２の実施の形態を詳述する。この第２の実施の形態においては、コンテンツ再生端末１３による記憶可能時間検出処理が異なる点以外、上述した第１の実施の形態と同様であるので、ここでは記憶可能時間検出処理の手順のみを説明し、同様部分であるコンテンツ転送システム１の構成及び記憶可能時間検出処理以外の処理などの説明は省略する。
【０１０２】
上述の第１の実施の形態と同様に、コンテンツ再生端末１３の制御部３０は、図１７に示したコンテンツ転送処理を開始して、設定時間の設定、装置ＩＤの要求及び取得、管理情報ＣＩの要求及び取得の後、ステップＳＰ１６において、携帯型コンテンツ再生装置１４が有する記憶媒体４１の記憶可能時間を検出する記憶可能時間検出処理を実行する。
【０１０３】
ここで、このステップＳＰ１６で実行される、第２の実施の形態による記憶可能時間検出処理の手順について、図２１のフローチャートを用いて説明する。コンテンツ再生端末１３の制御部３０は、記憶可能時間検出処理手順ＲＴ５を開始するとステップＳＰ６０において、一次記憶部３３から管理情報ＣＩを読み出して次のステップＳＰ６１に移る。ステップＳＰ６１において制御部３０は、まず管理情報ＣＩの１行目を参照し、この１行目のラスト再生の日時と現在の日時とを比較して、例えば、ラスト再生の日時から２４時間以上経過したか否かを判定する。
【０１０４】
このステップＳＰ６１で肯定結果を得ると、このことは、この１行目に記されたコンテンツが最後に再生されてから１日以上経過していることを表し、このとき制御部３０は、この１行目に記されたコンテンツをユーザがもう見ないと判断して、ステップＳＰ６２に移り、外部接続部３９を介して接続されている携帯型コンテンツ再生装置１４の記憶媒体４１から、管理情報ＣＩの１行目のファイル名に該当するコンテンツデータを削除して記憶媒体４１の空き容量を増加させ、次のステップ６７に移る。ちなみに、ラスト再生の日時が「再生なし」であった場合も、このステップＳＰ６１で肯定結果を得るようにし、該当するコンテンツデータを削除する。
【０１０５】
これに対してこのステップＳＰ６１で否定結果を得ると、このことは、１行目に記されたコンテンツが最後に再生されてからまだ１日以上経過していないことを表し、このとき制御部３０は、この１行目に記されたコンテンツをユーザがまだ見る可能性があると判断して、次のステップＳＰ６３に移る。ステップＳＰ６３において制御部３０は、１行目の見終わり確認が「ＯＮ」であるか否かを判定する。
【０１０６】
このステップＳＰ６３で肯定結果を得ると、このことは、この１行目に記されたコンテンツがユーザにより見終わったと指定されていることを表し、このとき制御部３０は、ステップＳＰ６２に移り、外部接続部３９を介して接続されている携帯型コンテンツ再生装置１４の記憶媒体４１から、管理情報ＣＩの１行目のファイル名に該当するコンテンツデータを削除して記憶媒体４１の空き容量を増加させ、次のステップ６７に移る。
【０１０７】
これに対してこのステップＳＰ６３で否定結果を得ると、このことは、この１行目に記されたコンテンツがまだ見終わっていないことを表し、このとき制御部３０は、ステップＳＰ６４に移る。ステップＳＰ６４において制御部３０は、１行目のタイムマーク位置を確認して次のステップＳＰ６５に移る。ステップＳＰ６５において制御部３０は、コンテンツの停止時点を示すこのタイムマーク位置が、１行目に記されたコンテンツの再生時間の例えば９０％以上であるか否か、すなわちこの１行目に記されたコンテンツをユーザが９０％以上見終わっているか否かを判定する。
【０１０８】
このステップＳＰ６５で肯定結果を得ると、このことは、管理情報ＣＩの１行目に記されたコンテンツをユーザが９０％以上見終わったこと、すなわちほとんど見終わったことを表しており、このとき制御部３０は、ステップＳＰ６６に移り、携帯型コンテンツ再生装置１４の記憶媒体４１に記憶されている、管理情報ＣＩの１行目のファイル名に該当するコンテンツデータから、タイムマーク位置以前の部分（すなわち見終わった部分）を削除して記憶媒体４１の空き容量を増加させ、次のステップＳＰ６７に移る。
【０１０９】
これに対してこのステップＳＰ６５で否定結果を得ると、このことは、この１行目に記されたコンテンツをユーザがまだ９０％未満しか見終わっていないことを表しており、このとき制御部３０は、このコンテンツのコンテンツデータから、タイムマーク位置以前の部分を削除せずに、ステップＳＰ６７に移る。
【０１１０】
ステップＳＰ６７において制御部３０は、管理情報ＣＩの全ての行に対して、上述のステップＳＰ６１〜ステップＳＰ６６までの処理が終えたか否かを判定する。ここで管理情報ＣＩが、例えば図１１に示すように、シリーズＭ１〜Ｍ３の３行であるとすれば、制御部３０は、１行目に対する処理が終了した後、このステップＳＰ６７で否定結果を得て、再びステップＳＰ６１に戻り、続いて２行目に対する処理を開始する。そして２行目、３行目と処理を継続していき、３行目（すなわち最終行）に対する処理が終了した後、このステップＳＰ６７で肯定結果を得て、ステップＳＰ６８に移る。
【０１１１】
ステップＳＰ６８において制御部３０は、携帯型コンテンツ再生装置１４が有する記憶媒体４１の空き容量を検出し、この検出した空き容量と、自身が記憶保持するコンテンツデータのフォーマットとに基づいて、携帯型コンテンツ再生装置１４の記憶可能時間を検出して、終了ステップＳＰ６９に移り、この記憶可能時間検出処理手順ＲＴ５を終了する。
【０１１２】
このように、この第２の実施の形態による記憶可能時間検出処理手順ＲＴ５では、管理情報ＣＩの見終わり確認が「ＯＦＦ」であった場合に、無条件にコンテンツデータからタイムマーク位置以前の部分を削除するのではなく、見終わり確認が「ＯＦＦ」で所定割合（一例として９０％）以上見終わっている場合には、コンテンツデータからタイムマーク位置以前の部分を削除し、見終わり確認が「ＯＦＦ」で所定割合（一例として９０％）以上見終わっていない場合には、コンテンツデータからタイムマーク位置以前の部分を削除しないでコンテンツデータをそのまま保持するようにした。
【０１１３】
すなわちコンテンツ再生端末１３は、携帯型コンテンツ再生装置１４の記憶媒体４１に対して、ユーザがコンテンツをほぼ見終わるまで、このコンテンツを保持させておくようにしたことにより、例えば、まだほとんど見終わっていないコンテンツを、もう一度、頭から再生するといったことが可能となり、結果として、ユーザに対し、より確実にコンテンツを視聴させることができる。
【０１１４】
（３）第３の実施の形態
次に、本発明の第３の実施の形態を詳述する。この第３の実施の形態においては、コンテンツ再生端末１３による記憶可能時間検出処理が異なる点以外、上述した第１の実施の形態と同様であるので、ここでは記憶可能時間検出処理の手順のみを説明し、同様部分であるコンテンツ転送システム１の構成及び記憶可能時間検出処理以外の処理などの説明は省略する。
【０１１５】
上述の第１の実施の形態と同様に、コンテンツ再生端末１３の制御部３０は、図１７に示したコンテンツ転送処理を開始して、設定時間の設定、装置ＩＤの要求及び取得、管理情報ＣＩの要求及び取得の後、ステップＳＰ１６において、携帯型コンテンツ再生装置１４が有する記憶媒体４１の記憶可能時間を検出する記憶可能時間検出処理を実行する。
【０１１６】
ここで、このステップＳＰ１６で実行される、第３の実施の形態による記憶可能時間検出処理の手順について、図２２のフローチャートを用いて説明する。コンテンツ再生端末１３の制御部３０は、記憶可能時間検出処理手順ＲＴ６を開始するとステップＳＰ７０において、一次記憶部３３から管理情報ＣＩを読み出して次のステップＳＰ７１に移る。ステップＳＰ７１において制御部３０は、記憶可能時間を設定すると共に、携帯型コンテンツ再生装置１４が有する記憶媒体４１の空き容量を検出し、この記憶可能時間分の空き容量が、携帯型コンテンツ再生装置１４の記憶媒体４１に確保されているか否かを判定する。
【０１１７】
ここで、この記憶可能時間の設定は、例えば、携帯型コンテンツ再生装置１４の記憶媒体１４の全容量の５０％と、コンテンツ再生端末１３の記憶媒体３１に記憶保持されるコンテンツデータのフォーマットとに基づいてコンテンツ再生端末１３の制御部３０が自動的に設定してもよいし、コンテンツ再生端末１３の操作部３４を介してユーザに入力させるようにしてもよい。
【０１１８】
ここで例えば、以前にコンテンツ再生端末１３から転送されたコンテンツデータにより、携帯型コンテンツ再生装置１４の記憶媒体４１の空き容量がほぼ０である場合、コンテンツ再生端末１３の制御部３０は、このステップＰ７１で否定結果を得て、ステップＳＰ７２に移る。ステップＳＰ７２において制御部３０は、管理情報ＣＩの１行目を参照し、この１行目のラスト再生の日時と現在の日時とを比較して、例えば、ラスト再生の日時から２４時間以上経過したか否かを判定する。
【０１１９】
このステップＳＰ７２で肯定結果を得ると、このことは、この１行目に記されたコンテンツが最後に再生されてから１日以上経過していることを表し、このとき制御部３０は、この１行目に記されたコンテンツをユーザがもう見ないと判断して、ステップＳＰ７３に移り、外部接続部３９を介して接続されている携帯型コンテンツ再生装置１４の記憶媒体４１から、管理情報ＣＩの１行目のファイル名に該当するコンテンツデータを削除して記憶媒体４１の空き容量を増加させ、再びステップ７１に戻る。ちなみに、ラスト再生の日時が「再生なし」であった場合も、このステップＳＰ７２で肯定結果を得るようにし、該当するコンテンツデータを削除する。
【０１２０】
これに対してこのステップＳＰ７２で否定結果を得ると、このことは、１行目に記されたコンテンツが最後に再生されてからまだ１日以上経過していないことを表し、このとき制御部３０は、この１行目に記されたコンテンツをユーザがまだ見る可能性があると判断して、次のステップＳＰ７４に移る。ステップＳＰ７４において制御部３０は、１行目の見終わり確認が「ＯＮ」であるか否かを判定する。
【０１２１】
このステップＳＰ７４で肯定結果を得ると、このことは、この１行目に記されたコンテンツがユーザにより見終わったと指定されていることを表し、このとき制御部３０は、ステップＳＰ７３に移り、外部接続部３９を介して接続されている携帯型コンテンツ再生装置１４の記憶媒体４１から、管理情報ＣＩの１行目のファイル名に該当するコンテンツデータを削除して記憶媒体４１の空き容量を増加させ、再びステップＳＰ７１に戻る。
【０１２２】
これに対してこのステップＳＰ７４で否定結果を得ると、このことは、この１行目に記されたコンテンツがまだ見終わっていないことを表し、このとき制御部３０は、ステップＳＰ７５に移る。ステップＳＰ７５において制御部３０は、１行目のタイムマーク位置を確認して次のステップＳＰ７６に移る。ステップＳＰ７６において制御部３０は、このタイムマーク位置に基づき、携帯型コンテンツ再生装置１４の記憶媒体４１に記憶されている、管理情報ＣＩの１行目のファイル名に該当するコンテンツデータから、タイムマーク位置以前の部分（すなわち見終わった部分）を削除して記憶媒体４１の空き容量を増加させ、再びステップＳＰ７１に戻る。
【０１２３】
そして制御部３０は、記憶可能時間分の空き容量が、携帯型コンテンツ再生装置１４の記憶媒体４１に確保されるまで、ステップＳＰ７２〜ステップＳＰ７６までの処理を繰り返すことにより、管理情報ＣＩの２行目、３行目、…に記されたファイル名に該当するコンテンツデータの一部分または全部分を削除して記憶媒体４１の空き容量を増加させていき、記憶可能時間分の空き容量が確保されると、ステップＳＰ７１で肯定結果を得て、終了ステップＳＰ７７に移り、この記憶可能時間検出処理手順ＲＴ６を終了する。
【０１２４】
このように、この第３の実施の形態による記憶可能時間検出処理手順ＲＴ６では、まず記憶可能時間を設定して、この記憶可能時間分の空き容量が確保されるように、携帯型コンテンツ再生装置１４が有する記憶媒体１４からコンテンツデータの一部分または全部分を削除してから、携帯型コンテンツ再生装置１４に新たな転送コンテンツデータを転送するようにした。
【０１２５】
これによりコンテンツ再生端末１３は、記憶可能時間を、携帯型コンテンツ再生装置１４が有する記憶媒体４１の容量内であれば、自由に設定することができる。またコンテンツ再生端末１３は、携帯型コンテンツ再生装置１４を接続するだけで、ユーザに対して何ら煩わしい操作をさせることなく、設定した記憶可能時間の分だけ、携帯型コンテンツ再生装置１４が記憶保持するコンテンツデータを入れ換えることができる。
【０１２６】
（４）第４の実施の形態
次に、本発明の第４の実施の形態を詳述する。この第４の実施の形態においては、携帯型コンテンツ再生装置１４によるコンテンツ再生処理が異なる点以外、上述した第１の実施の形態と同様であるので、ここではコンテンツ再生処理の手順のみを説明し、同様部分であるコンテンツ転送システム１の構成及びコンテンツ再生処理以外の処理などの説明は省略する。
【０１２７】
この第４の実施の形態によるコンテンツ再生処理の手順について、図２３のフローチャートを用いて説明する。携帯型コンテンツ再生装置１４の制御部４０は、操作部４４を介して、コンテンツの再生操作が行われたことを認識すると、コンテンツ再生処理手順ＲＴ７を開始して、ステップＳＰ８０に移る。ステップＳＰ８０において制御部４０は、記憶媒体４１から管理情報ＣＩを読み出して、次のステップＳＰ８１に移る。ステップＳＰ８１において制御部４０は、再生操作により指定されたコンテンツのコンテンツデータを読み出して、このコンテンツデータに基づく映像及び音声を出力することにより、コンテンツの再生を開始し、次のステップＳＰ８２に移る。
【０１２８】
ステップＳＰ８２において制御部４０は、ユーザによる停止操作を待ち受け、停止操作が行われたことを認識すると、コンテンツの再生を停止してステップＳＰ８３に移る。ステップＳＰ８３において制御部４０は、再生していたコンテンツの停止時点にタイムマークを付して次のステップＳＰ８４に移る。ステップＳＰ８４において制御部４０は、この停止時点までの再生した時間が、コンテンツの再生時間の例えば９０％以上であるか否かを判定する。
【０１２９】
このステップＳＰ８４で否定結果を得ると、このことは、このコンテンツがまだ９０％未満しか再生されていないことを表しており、このとき制御部４０は、ステップＳＰ８５に移り、上述のステップＳＰ８３で付したタイムマークの位置に基づき、再生していたコンテンツのコンテンツデータから、タイムマーク位置以前の部分（すなわち再生し終えた部分）を削除して記憶媒体４１の空き容量を増加させ、次のステップＳＰ８６に移る。
【０１３０】
ステップＳＰ８６において制御部４０は、再生していたコンテンツの停止時点に応じて、管理情報ＣＩのなかの、再生していたコンテンツの再生程度及びラスト再生を更新すると共に、上述のステップＳＰ８３で付したタイムマークの位置に応じて、管理情報ＣＩのなかの、再生していたコンテンツのタイムマーク位置を更新して、終了ステップＳＰ９０に移り、このコンテンツ再生処理手順ＲＴ７を終了する。
【０１３１】
これに対してステップＳＰ８４で肯定結果を得ると、このことは、このコンテンツが９０％以上再生されたことを表し、このとき制御部４０は、ステップＳＰ８７に移り、図１５に示したように、再生していたコンテンツが見終わったか否かを確認するためのメッセージと、このメッセージに対する選択肢（「はい」及び「いいえ」）とを表示部１５に表示して、ユーザ操作により選択肢「はい」が選択されたか否かを判定する。
【０１３２】
このステップＳＰ８７で否定結果を得ると、このことは、再生していたコンテンツがまだ見終わっていないとユーザに指定されたことを表しており、このとき制御部４０は、ステップＳＰ８５に移り、再生していたコンテンツのコンテンツデータから、タイムマーク位置以前の部分（すなわち再生し終えた部分）を削除して記憶媒体４１の空き容量を増加させて、次のステップＳＰ８６に移り、管理情報ＣＩを更新して、終了ステップＳＰ９０に移り、このコンテンツ再生処理手順ＲＴ７を終了する。
【０１３３】
これに対してこのステップＳＰ８７で肯定結果を得ると、このことは、再生していたコンテンツが見終わったとユーザに指定されたことを表しており、このとき制御部４０は、ステップＳＰ８８に移り、再生していたコンテンツのコンテンツデータを削除して記憶媒体４１の空き容量を増加させ、次のステップＳＰ８９に移る。
【０１３４】
ステップＳＰ８９において制御部４０は、再生していたコンテンツの停止時点に応じて、管理情報ＣＩのなかの、再生していたコンテンツの再生程度及びラスト再生を更新すると共に、上述のステップＳＰ８３で付したタイムマークの位置に応じて、管理情報ＣＩのなかの、再生していたコンテンツのタイムマーク位置を更新し、さらに管理情報ＣＩのなかの、再生していたコンテンツの見終わり確認を「ＯＮ」にすると共に、優先度を「０」から「５」に上げて、終了ステップＳＰ９０に移り、このコンテンツ再生処理手順ＲＴ７を終了する。
【０１３５】
このように、この第４の実施の形態によるコンテンツ再生処理手順ＲＴ７では、携帯型コンテンツ再生装置１４側で、再生していたコンテンツの停止時に、その都度、この再生していたコンテンツに対応するコンテンツデータの一部分または全部分を削除して、記憶媒体４１の空き容量を増加させるようにした。これにより、コンテンツ再生端末１３側で、携帯型コンテンツ再生装置１４の記憶媒体４１からコンテンツデータの削除を行わなくてもよく、コンテンツ再生端末１３側の負荷を低減させることができる。
【０１３６】
実際上、この場合、例えば、図１８に示した第１の実施の形態によるコンテンツ転送処理時の記憶可能時間検出処理手順ＲＴ２の、ステップＳＰ３０〜ステップＳＰ３６までの処理（すなわちコンテンツ再生端末１３側でコンテンツデータを削除する処理）を省略することが可能となる。また、このようにコンテンツ転送処理時の処理を省略することができるので、結果として、コンテンツ転送処理にかかる時間を低減させることもできる
【０１３７】
（５）第５の実施の形態
次に、本発明の第５の実施の形態を詳述する。この第５の実施の形態においては、コンテンツ再生端末１３による転送リスト生成処理が異なる点以外、上述した第１の実施の形態と同様であるので、ここでは転送リスト生成処理の手順のみを説明し、同様部分であるコンテンツ転送システム１の構成及び転送リスト生成処理以外の処理などの説明は省略する。
【０１３８】
上述の第１の実施の形態と同様に、コンテンツ再生端末１３の制御部３０は、図１７に示したコンテンツ転送処理を開始して、設定時間の設定、装置ＩＤの要求及び取得、管理情報ＣＩの要求及び取得、記憶可能時間検出の後、ステップＳＰ１７において、携帯型コンテンツ再生装置１４に転送すべき転送コンテンツデータを示す転送リストＬ１Ａを生成する転送リスト生成処理を実行する。
【０１３９】
ここで、このステップＳＰ１７で実行される、第５の実施の形態による転送リスト生成処理の手順について、図２４のフローチャートを用いて説明する。コンテンツ再生端末１３の制御部３０は、転送リスト生成処理手順ＲＴ８を開始するとステップＳＰ１００において、上述のステップＳＰ１０（図１７）で設定した設定時間と、上述のステップＳＰ１６（図１７）で検出した記憶可能時間とを確認した後、次のステップＳＰ１０１に移る。ステップＳＰ１０１において制御部３０は、図８に示したように、設定時間に基づいて、記憶媒体４１の各フォルダＭ１Ｆ、Ｍ２Ｆ、Ｍ３Ｆ及びＭ４Ｆから、設定時間分のコンテンツデータを指定して転送対象リストＬ１を生成する。
【０１４０】
実際上、このステップＳＰ１０１で、各フォルダＭ１Ｆ、Ｍ２Ｆ、Ｍ３Ｆ及びＭ４Ｆから、設定時間分のコンテンツデータを指定するとき、制御部３０は、携帯型コンテンツ再生装置１４から取得した管理情報ＣＩに基づき、携帯型コンテンツ再生装置１４の記憶媒体４１に記憶保持されている、または記憶保持されていた（すなわち再生後に削除された）コンテンツデータのシリーズ内番号を認識して、このシリーズ内番号に続くシリーズ内番号のコンテンツデータを指定するようになされている。すなわち、制御部３０は、例えば、図１０に示すように、シリーズＭ１のシリーズ内番号「１」のコンテンツデータが携帯型コンテンツ再生装置１４の記憶媒体４１に記憶保持されている、または記憶保持されていたのであれば、このときシリーズＭ１に対応するフォルダＭ１Ｆから指定するコンテンツデータは、シリーズ内番号「２」のコンテンツデータであると判断して、このフォルダＭ１Ｆから、シリーズ内番号「２」のコンテンツデータＭ１Ｄ２を指定するようになされている。
【０１４１】
このようにして、設定時間分のコンテンツデータを指定して転送対象リストＬ１を生成した後、制御部３０は、次のステップＳＰ１０２に移る。ステップＳＰ１０２において制御部３０は、記憶可能時間に基づき、転送対象リストＬ１の１行目に記された設定時間分のコンテンツデータを携帯型コンテンツ再生装置１４に記憶可能であるか否かを判定する。ここで記憶可能時間が３時間、設定時間が１時間であるとすれば、この１行目に記された設定時間分のコンテンツデータを携帯型コンテンツ再生装置１４に記憶させることができることから、制御部３０は、このステップＳＰ１０２で肯定結果を得て、次のステップＳＰ１０３に移る。
【０１４２】
ステップＳＰ１０３において制御部３０は、管理情報ＣＩに基づき、転送対象リストＬ１の１行目に記された例えばシリーズＭ１のコンテンツデータの１つ前のシリーズ内番号を有するコンテンツデータが、タイムマークが付された再生途中のコンテンツデータとして携帯型コンテンツ再生装置１４の記憶媒体４１に記憶されているか否かを判定する。
【０１４３】
このステップＳＰ１０３で否定結果を得ると、このことは転送対象リストＬ１の１行目に記されたコンテンツデータの１つ前のシリーズ内番号を有するコンテンツデータが、携帯型コンテンツ再生装置４１に記憶されていないことを表し、このとき制御部４０は、ステップＳＰ１０４に移り、図８に示したように、転送対象リストＬ１の１行目に記された設定時間分（１時間分）のコンテンツデータを転送リストＬ１Ａに追加して、この転送リストＬ１Ａを更新すると共に、記憶可能時間の残り時間（このとき３時間−１時間）を認識して、ステップＳＰ１０２に戻る。
【０１４４】
これに対してこのステップＳＰ１０３で肯定結果を得ると、このことは転送対象リストＬ１の１行目に記されたコンテンツデータの１つ前のシリーズ内番号を有するコンテンツデータが、再生途中のコンテンツデータとして、図２５（Ａ）に示すように、そのタイムマーク位置以前の部分が削除されて残りの部分（例えば残り２０分の部分）のみが携帯型コンテンツ再生装置１４の記憶媒体４１に記憶されていることを表し、このとき制御部４０は、ステップＳＰ１０５に移る。
【０１４５】
ステップＳＰ１０５において、制御部３０は、図２５（Ｂ）に示すように、転送対象リストＬ１の１行目に記されたコンテンツデータの１つ前のシリーズ内番号を有するコンテンツデータのタイムマーク位置と設定時間（この場合１時間）とに基づき、転送対象リストＬ１の１行目に記されたコンテンツデータの所定部分（この場合先頭から４０分までの部分）までを指定し、これを転送リストＬ１Ａに追加して、この転送リストＬ１Ａを更新すると共に、記憶可能時間の残り時間（このとき３時間−４０分）を認識して、ステップＳＰ１０２に戻る。
【０１４６】
すなわちこの場合、制御部３０は、シリーズＭ１のコンテンツデータとして、携帯型コンテンツ再生装置１４に記憶されている部分（２０分）と、今回転送する部分（４０分）とを合わせて設定時間（６０分）分となるように、転送対象リストＬ１の１行目に記されたコンテンツデータの一部分を指定して、これを転送リストＬ１Ａに追加するようになされている。
【０１４７】
そして制御部３０は、記憶可能時間の残り時間が設定時間（１時間）未満になるまで、ステップＳＰ１０２〜ステップＳＰ１０５までの処理を繰り返すことにより、転送対象リストＬ１の２行目、３行目、…に記された設定時間分（１時間分）のコンテンツデータの一部分または全部分を１つずつ転送リストＬ１Ａに追加していき、残り時間が設定時間（１時間）未満になると、これ以上、設定時間分（１時間分）のコンテンツデータを携帯型コンテンツ再生装置１４に記憶させることができないことから、ステップＳＰ１０２で否定結果を得て、終了ステップＳＰ１０６に移り、この転送リスト生成処理手順ＲＴ８を終了する。
【０１４８】
このように、この第５の実施の形態による転送処理手順ＲＴ８では、携帯型コンテンツ再生装置１４の記憶媒体４１に記憶保持されているコンテンツデータの残りの部分と、今回転送する部分とを合わせて設定時間分となるように、転送コンテンツデータを指定して転送リストＬ１Ａを生成するようにした。
【０１４９】
これによりコンテンツ再生端末１３は、携帯型コンテンツ再生装置１４の記憶媒体４１に対して、常に設定時間分のコンテンツデータをシリーズ毎に記憶保持させることができ、この結果、再生途中であるなしに係わらず、ユーザの使用時間に合わせたコンテンツデータを、携帯型コンテンツ再生装置１４の記憶媒体４１に対して確実に記憶させることができる。
【０１５０】
（６）第６の実施の形態
次に、本発明の第６の実施の形態を詳述する。この第６の実施の形態においては、コンテンツ再生端末１３による転送リスト生成処理が異なる点以外、上述した第１の実施の形態と同様であるので、ここでは転送リスト生成処理の手順のみを説明し、同様部分であるコンテンツ転送システム１の構成及び転送リスト生成処理以外の処理などの説明は省略する。
【０１５１】
上述の第１の実施の形態と同様に、コンテンツ再生端末１３の制御部３０は、図１７に示したコンテンツ転送処理を開始して、設定時間の設定、装置ＩＤの要求及び取得、管理情報ＣＩの要求及び取得、記憶可能時間検出の後、ステップＳＰ１７において、携帯型コンテンツ再生装置１４に転送すべき転送コンテンツデータを示す転送リストＬ１Ａを生成する転送リスト生成処理を実行する。
【０１５２】
ここで、このステップＳＰ１７で実行される、第６の実施の形態による転送リスト生成処理の手順について、図２６のフローチャートを用いて説明する。コンテンツ再生端末１３の制御部３０は、転送リスト生成処理手順ＲＴ９を開始するとステップＳＰ１１０において、一次記憶部３３から管理情報ＣＩを読み出し、この管理情報ＣＩに基づいてユーザのコンテンツに対する好みを特定する。この場合、例えば、携帯型コンテンツ再生装置１４では、予めユーザにより例えば好きなジャンルを少なくとも１以上指定し得るようになされており、この指定されたジャンルが管理情報ＣＩにユーザの嗜好情報として記されている。
【０１５３】
このようにしてユーザの好み（例えば好きなジャンル）を特定した後、コンテンツ再生端末１３の制御部３０は、次のステップＳＰ１１１に移る。ステップＳＰ１１１において制御部３０は、上述のステップＳＰ１０（図１７）で設定した設定時間と、上述のステップＳＰ１６（図１７）で検出した記憶可能時間とを確認した後、次のステップＳＰ１１２に移る。ステップＳＰ１１２において制御部３０は、設定時間とユーザの好みとに基づいて、記憶媒体４１のフォルダＭ１Ｆ、Ｍ２Ｆ、Ｍ３Ｆ及びＭ４Ｆから、設定時間分のコンテンツデータを指定して転送対象リストＬ１を生成する。
【０１５４】
実際上、このステップＳＰ１１２で、フォルダＭ１Ｆ、Ｍ２Ｆ、Ｍ３Ｆ及びＭ４Ｆから、設定時間分のコンテンツデータを指定するとき、制御部３０は、携帯型コンテンツ再生装置１４から取得した管理情報ＣＩに基づき、携帯型コンテンツ再生装置１４の記憶媒体４１に記憶保持されている、または記憶保持されていた（すなわち再生後に削除された）コンテンツデータのシリーズ内番号を認識して、このシリーズ内番号に続くシリーズ内番号のコンテンツデータを指定するようになされている。すなわち、制御部３０は、例えば、図１０に示すように、シリーズＭ１のシリーズ内番号「１」のコンテンツデータが携帯型コンテンツ再生装置１４の記憶媒体４１に記憶保持されている、または記憶保持されていたのであれば、このときシリーズＭ１に対応するフォルダＭ１Ｆから指定するコンテンツデータは、シリーズ内番号「２」のコンテンツデータであると判断して、このフォルダＭ１Ｆから、シリーズ内番号「２」のコンテンツデータＭ１Ｄ２を指定するようになされている。またこのような条件にくわえて、ユーザの好みに該当するフォルダからのみ、設定時間分のコンテンツデータを指定することで、転送対象リストＬ１Ａにユーザの好みを反映させることができる。
【０１５５】
このようにして、ユーザの好みに応じ、設定時間分のコンテンツデータを指定して転送対象リストＬ１を生成した後、制御部３０は、次のステップＳＰ１１３に移る。ステップＳＰ１１３において制御部３０は、記憶可能時間に基づき、転送対象リストＬ１の１行目に記された設定時間分のコンテンツデータを携帯型コンテンツ再生装置１４に記憶可能であるか否かを判定する。ここで記憶可能時間が３時間、設定時間が１時間であるとすれば、この１行目に記された設定時間分のコンテンツデータを携帯型コンテンツ再生装置１４に記憶させることができることから、制御部３０は、このステップＳＰ１１３で肯定結果を得て、次のステップＳＰ１１４に移る。
【０１５６】
ステップＳＰ１１４において制御部３０は、管理情報ＣＩに基づき、転送対象リストＬ１の１行目に記された例えばシリーズＭ１のコンテンツデータの１つ前のシリーズ内番号を有するコンテンツデータが、タイムマークが付された再生途中のコンテンツデータとして携帯型コンテンツ再生装置１４の記憶媒体４１に記憶されているか否かを判定する。
【０１５７】
このステップＳＰ１１４で否定結果を得ると、このことは転送対象リストＬ１の１行目に記されたコンテンツデータの１つ前のシリーズ内番号を有するコンテンツデータが、携帯型コンテンツ再生装置４１に記憶されていないことを表し、このとき制御部４０は、ステップＳＰ１１５に移り、転送対象リストＬ１の１行目に記された設定時間分（１時間分）のコンテンツデータを転送リストＬ１Ａに追加して、この転送リストＬ１Ａを更新すると共に、記憶可能時間の残り時間（このとき３時間−１時間）を認識して、ステップＳＰ１１３に戻る。
【０１５８】
これに対してこのステップＳＰ１１４で肯定結果を得ると、このことは転送対象リストＬ１の１行目に記されたコンテンツデータの１つ前のシリーズ内番号を有するコンテンツデータが、再生途中のコンテンツデータとして、図２５（Ａ）に示すように、そのタイムマーク位置以前の部分が削除されて残りの部分（例えば残り２０分の部分）のみが携帯型コンテンツ再生装置１４の記憶媒体４１に記憶されていることを表し、このとき制御部４０は、ステップＳＰ１１６に移る。
【０１５９】
ステップＳＰ１１６において、制御部３０は、図２５（Ｂ）に示すように、転送対象リストＬ１の１行目に記されたコンテンツデータの１つ前のシリーズ内番号を有するコンテンツデータのタイムマーク位置と設定時間（この場合１時間）とに基づき、転送対象リストＬ１の１行目に記されたコンテンツデータの所定部分（この場合先頭から４０分までの部分）までを指定し、これを転送リストＬ１Ａに追加して、この転送リストＬ１Ａを更新すると共に、記憶可能時間の残り時間（このとき３時間−４０分）を認識して、ステップＳＰ１１３に戻る。
【０１６０】
すなわちこの場合、制御部３０は、シリーズＭ１のコンテンツデータとして、携帯型コンテンツ再生装置１４に記憶されている部分（２０分）と、今回転送する部分（４０分）とを合わせて設定時間（６０分）分となるように、転送対象リストＬ１の１行目に記されたコンテンツデータの一部分を指定して、これを転送リストＬ１Ａに追加するようになされている。
【０１６１】
そして制御部３０は、記憶可能時間の残り時間が設定時間（１時間）未満になるまで、ステップＳＰ１１３〜ステップＳＰ１１６までの処理を繰り返すことにより、転送対象リストＬ１の２行目、３行目、…に記された設定時間分（１時間分）のコンテンツデータの一部分または全部分を１つずつ転送リストＬ１Ａに追加していき、残り時間が設定時間（１時間）未満になると、これ以上、設定時間分（１時間分）のコンテンツデータを携帯型コンテンツ再生装置１４に記憶させることができないことから、ステップＳＰ１１３で否定結果を得て、終了ステップＳＰ１１７に移り、この転送リスト生成処理手順ＲＴ９を終了する。
【０１６２】
このように、この第６の実施の形態による転送処理手順ＲＴ９では、ユーザの好みに応じて、携帯型コンテンツ再生装置１４に転送すべき転送コンテンツデータを指定して転送リストＬ１Ａを生成するようにした。これによりコンテンツ再生端末１３は、携帯型コンテンツ再生装置１４を接続するだけで、ユーザに対して何ら煩わしい操作をさせることなく、ユーザが好み、ユーザの使用時間に合わせたコンテンツデータを、携帯型コンテンツ再生装置１４に転送して記憶させることができる。
【０１６３】
（７）他の実施の形態
上述した実施の形態においては、コンテンツ再生端末１３から携帯型コンテンツ再生装置１４へのコンテンツデータの転送に、本発明を適用した場合について述べたが、本発明はこれに限らず、例えば、携帯型コンテンツ再生装置１４にネットワーク接続し得る通信部を設けると共に、コンテンツ提供サーバ１１にコンテンツ再生端末１３の構成をくわえて、コンテンツ提供サーバ１１から直接携帯型コンテンツ再生装置１４がコンテンツデータを取得し得るようにし、このときのコンテンツ提供サーバ１１から携帯型コンテンツ再生装置１４へのコンテンツデータの転送に、本発明を適用するようにしてもよい。また、この他種々の装置間でのコンテンツデータの転送に適用してもよい。すなわち、本発明は、携帯型コンテンツ再生装置１４のように、その使用用途などにより、使用時間がある程度限定されている装置に対してコンテンツデータを転送する場合に好適なものである。
【０１６４】
また上述した実施の形態においては、映像データ及び音声データからなるコンテンツデータを用いるようにした場合について述べたが、本発明はこれに限らず、映像データのみ、または音声データのみのコンテンツデータなど、この他種々のコンテンツデータを用いるようにしてもよい。
【０１６５】
さらに上述した実施の形態においては、コンテンツ再生端末１３側で、携帯型コンテンツ再生装置１４の使用時間を設定時間として設定するようにした場合について述べたが、本発明はこれに限らず、携帯型コンテンツ再生装置１４側で、携帯型コンテンツ再生装置１４の使用時間を設定時間として設定するようにして、この設定時間を例えば管理情報ＣＩに記し、この管理情報ＣＩからコンテンツ再生端末１３が設定時間を認識するようにしてもよい。つまり、設定時間の設定は、コンテンツ再生端末１３に限らず、コンテンツ提供サーバ１１または携帯型コンテンツ再生装置１４で設定するようにしてもよい。また、例えば、携帯型コンテンツ再生装置１４にタイマーを設け、このタイマーにより、携帯型コンテンツ再生装置１４の電源がＯＮされてから、ＯＦＦされるまでの時間を計測し、この時間を使用時間として用いるようにしてもよい。
【０１６６】
さらに上述した実施の形態においては、コンテンツ再生端末１３が、携帯型コンテンツ再生装置１４の空き容量と、コンテンツデータのフォーマットとに基づいて記憶可能時間を検出し、この記憶可能時間と設定時間とをもとに転送コンテンツデータを指定するようにした場合について述べたが、本発明はこれに限らず、コンテンツ再生端末１３が、設定時間と、コンテンツデータのフォーマットとに基づいて、設定時間分のコンテンツデータの容量を検出し、この容量と携帯型コンテンツ再生装置１４の空き容量とをもとに転送コンテンツデータを指定するようにしてもよい。つまり、時間ではなく、容量を用いて、転送コンテンツデータを指定するようにしてもよい。
【０１６７】
さらに上述した実施の形態においては、コンテンツ再生端末１３が、コンテンツデータを、そのコンテンツＩＤに基づき、シリーズ毎にまとめて管理するようにした場合について述べたが、本発明はこれに限らず、例えば、ユーザ操作に応じて、コンテンツデータをまとめることにより、ユーザが好きなようにコンテンツをグループ分けし得るようにしてもよいし、例えばジャンル、配給元、取得先などに応じて、コンテンツデータをまとめるようにしてもよい。
【０１６８】
さらに上述した実施の形態においては、携帯型コンテンツ再生装置１４が、再生していたコンテンツの停止時点にタイムマークを付すようにした場合について述べたが、本発明はこれに限らず、例えば、この停止時点の数秒前にタイムマークを付すようにしてもよい。
【０１６９】
さらに上述した実施の形態においては、コンテンツ再生端末１３が、管理情報ＣＩのタイムマーク位置に基づいて、各コンテンツの再生し終えた部分を判断するようにした場合について述べたが、本発明はこれに限らず、管理情報ＣＩの再生程度に基づいて、各コンテンツの再生し終えた部分を判断するようにしてもよい。
【０１７０】
さらに上述した実施の形態においては、コンテンツ再生端末１３が、管理情報ＣＩのタイムマーク位置、見終わり確認、嗜好情報などに基づいて、携帯型コンテンツ再生装置１４で再生されたコンテンツに続くコンテンツのコンテンツデータ、あるいはユーザの好みに応じたコンテンツのコンテンツデータなどを、転送コンテンツデータとして指定するようにした場合について述べたが、本発明はこれに限らず、例えば、管理情報ＣＩの優先度に基づいて、この優先度が高いコンテンツに続くコンテンツのコンテンツデータを優先的に、転送コンテンツデータとして指定するようにしてもよい。
【０１７１】
さらに上述した実施の形態においては、コンテンツが９０％以上再生されると、停止時に、コンテンツが見終わったか否かを確認するためのメッセージと、このメッセージに対する選択肢とを携帯型コンテンツ再生装置１４の表示部１５に表示するようにした場合について述べたが、本発明はこれに限らず、例えば何％再生されたかに限らず、停止時に、コンテンツが見終わったか否かを確認するためのメッセージと、このメッセージに対する選択肢とを表示するようにしてもよいし、この％をユーザが設定し得るようにしてもよい。
【０１７２】
さらに上述した実施の形態においては、コンテンツ再生端末１３が、コンテンツ提供サーバ１１からコンテンツデータを受信すると、このコンテンツデータからインデックス情報ＩＤを生成して、これをこのコンテンツデータに付加するようにした場合について述べたが、本発明はこれに限らず、例えば、コンテンツ提供サーバ１１が、インデックス情報ＩＤを生成して、このインデックス情報ＩＤを付加したコンテンツデータをコンテンツ再生端末１３に配信するようにしてもよいし、携帯型コンテンツ再生装置１４が、コンテンツ再生端末１３から受信したコンテンツデータからインデックス情報ＩＤを生成して、これをこのコンテンツデータに付加するようにしてもよい。
【０１７３】
さらに上述の実施の形態においては、コンテンツ再生端末１３が、転送対象リストＬ１と転送リストＬ１Ａを別々に生成するようにした場合について述べたが、本発明はこれに限らず、例えば、転送対象リストＬ１を生成した後、この転送対象リストＬ１に記された不要な部分（つまり記憶可能時間に収まらない部分）を削除して、この不要な部分を削除した転送対象リストＬ１をそのまま転送リストＬ１Ａとするようにしてもよい。
【０１７４】
さらに上述した第６の実施の形態においては、携帯型コンテンツ再生装置１４側で、ユーザの嗜好情報を、ユーザ自身に登録させるようにした場合について述べたが、本発明はこれに限らず、例えば、コンテンツ再生端末１３側で、ユーザの嗜好情報を、ユーザ自身の登録させるようにしてもよいし、携帯型コンテンツ再生装置１４側で、管理情報ＣＩに基づき、最後まで再生されたコンテンツのジャンル、あるいはよく再生されるシリーズのジャンルを、ユーザが好きなジャンルと判断して、このジャンルを嗜好情報として登録するようにしてもよい。
【０１７５】
さらに上述した実施の形態においては、コンテンツ再生端末１３の制御部３０及び携帯型コンテンツ再生装置１４の制御部４０が、予めインストールされているプログラムに従って、上述した各処理手順ＲＴ１〜ＲＴ９をソフトウェア的に実行する場合について述べたが、本発明はこれに限らず、各処理手順ＲＴ１〜ＲＴ９をハードウェア的に実行させるようにしても良い。またこれら各処理手順ＲＴ１〜ＲＴ９を実行するためのプログラムを、ＣＤ（Compact Disc）などの記録媒体に記録しておいてもよい。
【０１７６】
さらに上述した実施の形態においては、コンテンツ提供サーバ１１を、制御部２０、記憶媒体２１、及び通信部２２で構成するようにし、またコンテンツ転送装置及び情報処理装置としてのコンテンツ再生端末１３を、制御部３０、記憶媒体３１、読出専用記憶部３２、一次記憶部３３、操作部３４、通信部３５、映像音声処理部３６、表示部３７、音声出力部３８、及び外部接続部３９で構成するようにし、さらに携帯型コンテンツ再生装置１４を、制御部４０、記憶媒体４１、読出専用記憶部４２、一次記憶部４３、操作部４４、外部接続部４５、表示部１５、音声出力部１６、及び映像音声処理部４６で構成するようにした場合について述べたが、本発明をこれに限らず、同様の機能を有するのであれば、この他種々の構成で、これらコンテンツ提供サーバ１１、コンテンツ再生端末１３、携帯型コンテンツ再生装置１４を構成するようにしてもよい。
【０１７７】
ちなみに、図１に示したコンテンツ転送装置１は、図４に示したコンテンツ再生端末１３に相当し、通信部２（図１）は、通信部３５（図４）に相当し、指定部４、制御部５、容量検出部６、リスト生成部７、及びインデックス情報生成部８（図１）は、制御部３０（図４）に相当し、記憶部３（図１）は、記憶媒体３１（図４）に相当するものである。
【産業上の利用可能性】
【０１７８】
本発明は、パーソナルコンピュータやハードディスクレコーダなどのコンテンツ転送装置に利用することができる。
【図面の簡単な説明】
【０１７９】
【図１】コンテンツ転送装置の概要を示す略線図である。
【図２】コンテンツ転送システムの構成を示す略線図である。
【図３】コンテンツ提供サーバの構成を示す略線図である。
【図４】コンテンツ再生端末の構成を示す略線図である。
【図５】携帯型コンテンツ再生装置の構成を示す略線図である。
【図６】コンテンツデータに付加される属性情報の内容を示す略線図である。
【図７】コンテンツ再生端末に記憶保持されるコンテンツデータの説明に供する略線図である。
【図８】転送リストの生成の説明に供する略線図である。
【図９】コンテンツの転送の説明に供する略線図である。
【図１０】管理情報の内容（転送直後）を示す略線図である。
【図１１】管理情報の内容（再生後）を示す略線図である。
【図１２】インデックス情報の生成の説明に供する略線図である。
【図１３】コンテンツの一覧表示画面を示す略線図である。
【図１４】表示部に表示されるコンテンツ（再生中）の説明に供する略線図である。
【図１５】表示部に表示されるコンテンツ（停止時）の説明に供する略線図である。
【図１６】第１の実施の形態によるコンテンツ再生処理手順を示すフローチャートである。
【図１７】第１の実施の形態によるコンテンツ転送処理の手順を示すフローチャートである。
【図１８】第１の実施の形態による記憶可能時間検出処理手順を示すフローチャートである。
【図１９】第１の実施の形態による転送リスト生成処理手順を示すフローチャートである。
【図２０】第１の実施の形態によるデータ転送処理手順を示すフローチャートである。
【図２１】第２の実施の形態による記憶可能時間検出処理手順を示すフローチャートである。
【図２２】第３の実施の形態による記憶可能時間検出処理手順を示すフローチャートである。
【図２３】第４の実施の形態によるコンテンツ再生処理手順を示すフローチャートである。
【図２４】第５の実施の形態による転送リスト生成処理手順を示すフローチャートである。
【図２５】再生途中のコンテンツに対する部分的な追加の説明に供する略線図である。
【図２６】第６の実施の形態による転送リスト生成処理手順を示すフローチャートである。
【符号の説明】
【０１８０】
１……コンテンツ転送装置、２、２２、３５……通信部、３……記憶部、４……指定部、５、２０、３０、４０……制御部、６……容量検出部、７……リスト生成部、８……インデックス情報生成部、１０……コンテンツ転送システム、１１……コンテンツ提供サーバ、１２……ネットワーク、１３……コンテンツ再生端末、１４……携帯型コンテンツ再生装置、１５、３７……表示部、１６、３８……音声出力部、２１、３１、４１……記憶媒体、３２、４２……読出専用記憶部、３３、４３……一次記憶部、３４、４４……操作部、３６、４６……映像音声処理部、３９、４５……外部接続部、ＣＩ……管理情報、Ｌ１……転送対象リスト、Ｌ１Ａ……転送リスト。
【図１】
2007104577.tif 000003
【図２】
2007104577.tif 000004
【図３】
2007104577.tif 000005
【図４】
2007104577.tif 000006
【図５】
2007104577.tif 000007
【図６】
2007104577.tif 000008
【図７】
2007104577.tif 000009
【図８】
2007104577.tif 000010
【図９】
2007104577.tif 000011
【図１０】
2007104577.tif 000012
【図１１】
2007104577.tif 000013
【図１２】
2007104577.tif 000014
【図１３】
2007104577.tif 000015
【図１４】
2007104577.tif 000016
【図１５】
2007104577.tif 000017
【図１６】
2007104577.tif 000018
【図１７】
2007104577.tif 000019
【図１８】
2007104577.tif 000020
【図１９】
2007104577.tif 000021
【図２０】
2007104577.tif 000022
【図２１】
2007104577.tif 000023
【図２２】
2007104577.tif 000024
【図２３】
2007104577.tif 000025
【図２４】
2007104577.tif 000026
【図２５】
2007104577.tif 000027
【図２６】
2007104577.tif 000028